(57)【特許請求の範囲】
【請求項１】
ワイヤレスデバイスにおいて制御プレーン測定を実行するための方法であって、
マルチプルなサブフレームにまたがってアンライセンススペクトルを通じて受信された信号に対し、セルの無線リソース管理（ＲＲＭ）測定を実行することと、ここにおいて、前記ＲＲＭ測定を実行することは、オポチュニスティック送信を含む前記サブフレームの第１のサブセットに関連する基準信号受信電力（ＲＳＲＰ）測定、およびギャランティード送信を含む前記サブフレームの前記第２のサブセットに関連するＲＳＲＰ測定を得るために、ＲＳＲＰを測定することを含み、オポチュニスティック送信は、キャリアまたはチャネルが特定の条件を満たすときに行われ、ギャランティード送信は、特定の時点において起こることが保証されている、
前記サブフレームの前記第１のサブセットに関連する前記ＲＲＭ測定の第１のサブセット、および前記サブフレームの前記第２のサブセットに関連する前記ＲＲＭ測定の第２のサブセットを識別することと、
前記ＲＲＭ測定の前記第１のサブセットおよび前記ＲＲＭ測定の前記第２のサブセットにもとづいて１つまたは複数のＲＲＭ測定値を決定することと、ここにおいて、前記１つまたは複数のＲＲＭ測定値を決定することは、前記サブフレームの前記第１のサブセットに関連する前記ＲＳＲＰ測定、および前記サブフレームの前記第２のサブセットに関連する前記ＲＳＲＰ測定を、単一のＲＳＲＰ値へと結合することを含む、
を備える方法。
【請求項２】
前記ＲＲＭ測定を実行することは、前記サブフレームの前記第１のサブセットに関連する第１の受信信号強度インジケータ（ＲＳＳＩ）および前記サブフレームの前記第２のサブセットに関連する第２のＲＳＳＩを測定することを含み、
前記１つまたは複数のＲＲＭ測定値を決定することは、前記第１のＲＳＳＩにもとづいて前記サブフレームの前記第１のサブセットについての第１の基準信号受信品質（ＲＳＲＱ）値を決定することと、前記第２のＲＳＳＩにもとづいて前記サブフレームの前記第２のサブセットについての第２のＲＳＲＱ値を決定することとを含む、請求項１に記載の方法。
【請求項３】
ＲＲＭイベントを検出するために前記第１のＲＳＲＱ値をしきい値と比較すること、をさらに備える、請求項２に記載の方法。
【請求項４】
ＲＲＭイベントを検出するために前記第２のＲＳＲＱ値を異なるセルについての基準信号の受信信号品質と比較すること、をさらに備える、請求項２に記載の方法。
【請求項５】
前記第１のＲＳＲＱ値および前記第２のＲＳＲＱ値のどちらが前記ワイヤレスデバイスによって使用されるべきかについての指示をネットワークから受信すること、をさらに備える、請求項２に記載の方法。
【請求項６】
オポチュニスティック送信は、送信前にクリアチャネルアセスメント（ＣＣＡ）プロシージャまたは拡張ＣＣＡ（Ｅ−ＣＣＡ）プロシージャの対象である、請求項１に記載の方法。
【請求項７】
前記ギャランティード送信が起こる前記特定の時点は、ダウンリンククリアチャネルアセスメント（ＣＣＡ）免除送信（Ｄ−ＣＥＴ）のためサブフレームである、請求項１に記載の方法。
【請求項８】
ワイヤレスデバイスにおいて制御プレーン測定を実行するための装置であって、
マルチプルなサブフレームにまたがってアンライセンススペクトルを通じて受信された信号に対し、セルの無線リソース管理（ＲＲＭ）測定を実行するための手段と、ここにおいて、ＲＲＭ測定を実行するための前記手段は、さらには、前記サブフレームの前記第１のサブセットに関連する基準信号受信電力（ＲＳＲＰ）測定および前記サブフレームの前記第２のサブセットに関連するＲＳＲＰ測定を得るために、ＲＳＲＰを測定するためのものであり、オポチュニスティック送信は、キャリアまたはチャネルが特定の条件を満たすときに行われ、ギャランティード送信は、特定の時点において起こることが保証されている、
前記サブフレームの前記第１のサブセットに関連する前記ＲＲＭ測定の第１のサブセット、および前記サブフレームの前記第２のサブセットに関連する前記ＲＲＭ測定の第２のサブセットを識別するための手段と、
前記ＲＲＭ測定の前記第１のサブセットおよび前記ＲＲＭ測定の前記第２のサブセットにもとづいて１つまたは複数のＲＲＭ測定値を決定するための手段と、ここにおいて、前記１つまたは複数の測定値を決定するための前記手段は、さらには、前記サブフレームの前記第１のサブセットに関連する前記ＲＳＲＰ測定、および前記サブフレームの前記第２のサブセットに関連する前記ＲＳＲＰ測定を、単一のＲＳＲＰ値へと結合するためのものである、
を備える装置。
【請求項９】
ＲＲＭ測定を実行するための前記手段は、さらには、前記サブフレームの前記第１のサブセットに関連する第１の受信信号強度インジケータ（ＲＳＳＩ）および前記サブフレームの前記第２のサブセットに関連する第２のＲＳＳＩを測定するためのものであり、
決定するための前記手段は、さらには、前記第１のＲＳＳＩにもとづいて前記サブフレームの前記第１のサブセットについての第１の基準信号受信品質（ＲＳＲＱ）値、および前記第２のＲＳＳＩにもとづいて前記サブフレームの前記第２のサブセットについての第２のＲＳＲＱ値を決定するためのものである、請求項８に記載の装置。
【請求項１０】
ＲＲＭイベントを検出するために前記第１のＲＳＲＱ値をしきい値と比較するための手段をさらに備える、請求項９に記載の装置。
【請求項１１】
ＲＲＭイベントを検出するために前記第２のＲＳＲＱ値を異なるセルについての基準信号の受信信号品質と比較するための手段をさらに備える、請求項９に記載の装置。
【請求項１２】
前記第１のＲＳＲＱ値および前記第２のＲＳＲＱ値のどちらが前記ワイヤレスデバイスによって使用されるべきかについての指示をネットワークから受信するための手段をさらに備える、請求項９に記載の装置。
【請求項１３】
オポチュニスティック送信は、送信前にクリアチャネルアセスメント（ＣＣＡ）プロシージャまたは拡張ＣＣＡ（Ｅ−ＣＣＡ）プロシージャの対象である、請求項８に記載の装置。
【請求項１４】
前記ギャランティード送信が起こる前記特定の時点は、ダウンリンククリアチャネルアセスメント（ＣＣＡ）免除送信（Ｄ−ＣＥＴ）のためサブフレームである、請求項８に記載の装置。
【請求項１５】
実行されたときに請求項１〜７のいずれかに記載の方法を実行するためのコンピュータ実行可能なコードを格納しているコンピュータ読み取り可能な媒体。
【発明の詳細な説明】
【技術分野】
【０００１】
関連出願の相互参照
[0001]本特許出願は、２０１４年１０月３日付の「ＰＨＹＳＩＣＡＬ  ＬＡＹＥＲ  ＰＲＯＣＥＤＵＲＥＳ  ＦＯＲ  ＬＴＥ  ＩＮ  ＵＮＬＩＣＥＮＳＥＤ  ＳＰＥＣＴＲＵＭ」という名称の米国特許仮出願第６２／０５９，６７０号および２０１５年１０月１日付の「ＰＨＹＳＩＣＡＬ  ＬＡＹＥＲ  ＰＲＯＣＥＤＵＲＥＳ  ＦＯＲ  ＬＴＥ  ＩＮ  ＵＮＬＩＣＥＮＳＥＤ  ＳＰＥＣＴＲＵＭ」という名称の米国特許出願第１４／８７３，０７９号の優先権を主張し、これらの全体が本明細書に明示的に援用される。
【背景技術】
【０００２】
[0002]本開示の態様は、広くには、ワイヤレス通信に関し、より詳しくは、ワイヤレスデバイスにおける物理層プロシージャに関する。
【０００３】
[0003]ワイヤレス通信ネットワークが、音声、映像、パケットデータ、メッセージング、放送、などの種々の通信サービスを提供するために広く展開されている。これらのワイヤレスネットワークは、利用可能なネットワークリソースを共有することによって複数のユーザをサポートすることができる多重アクセスネットワークであり得る。このような多重アクセスネットワークの例は、符号分割多重アクセス（ＣＤＭＡ）ネットワーク、時分割多重アクセス（ＴＤＭＡ）ネットワーク、周波数分割多重アクセス（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
[0004]これらの多元接続技術は、地方、国家、地域、ならびに世界のレベルにおいてさまざまなワイヤレスデバイスの通信を可能にする共通のプロトコルを提供するために種々の電気通信規格において採用されている。新興の電気通信規格の一例が、ロング・ターム・エボリューション（ＬＴＥ（登録商標））である。ＬＴＥは、第３世代パートナーシッププロジェクト（３ＧＰＰ（登録商標））によって公表されたＵＭＴＳモバイル規格の一連の改良である。ＬＴＥは、ダウンリンク（ＤＬ）におけるＯＦＤＭＡ、アップリンク（ＵＬ）におけるＳＣ−ＦＤＭＡ、および多入力多出力（ＭＩＭＯ）アンテナを使用し、スペクトル効率の改善、コストの削減、サービスの改善、新たなスペクトルの利用、および他のオープンスタンダードとのより良好な統合によって、モバイル・ブロードバンド・インターネット・アクセスをより良好にサポートするように設計されている。しかしながら、モバイル・ブロードバンド・アクセスへの需要が増加を続けているがゆえに、ＬＴＥ技術のさらなる改善について、ニーズが存在している。好ましくは、これらの改善は、他の多重アクセス技術ならびにこれらの技術を採用する電気通信規格にも適用可能でなければならない。
【０００５】
[0005]ワイヤレス通信ネットワークは、いくつかのユーザ機器（ＵＥ）について通信をサポートすることができるいくつかのｅＮｏｄｅＢを含み得る。ＵＥは、ダウンリンクおよびアップリンクを介してｅＮｏｄｅＢと通信し得る。ダウンリンク（または、下りリンク）は、ｅＮｏｄｅＢからＵＥへの通信リンクを指し、アップリンク（または、上りリンク）は、ＵＥからｅＮｏｄｅＢへの通信リンクを指す。
【０００６】
[0006]共有またはアンライセンススペクトル（shared or unlicensed spectrum）の特定の部分におけるワイヤレスデバイスの動作は、該スペクトルを使用する他の無線アクセス技術（ＲＡＴ）からの干渉を経験し得る。例えば、ＬＴＥおよびＷｉ−Ｆｉの両者は、アンライセンスの５ＧＨｚ帯で動作し得る。このような干渉を軽減する試みにおいて、無線での（over-the-air）干渉検出が、いくつかのワイヤレス通信ネットワークにおいて採用されている。例えば、デバイスが、該デバイスが使用するＲＦ帯域においてエネルギーを定期的に監視（例えば、スニフ）し得る。何らかの種類のエネルギーが検出されると、デバイスは、或る期間についてこれのＲＦ帯域をバックオフし得る。このようなプロセスは、クリアチャネルアセスメント（ＣＣＡ）と称され得る。
【０００７】
[0007]しかしながら、実際には、このようなバックオフまたは「リッスン・ビフォア・トーク（listen-before talk）」（ＬＢＴ）の手法には、問題が存在し得る。一部の送信が、ＣＣＡプロシージャに起因して遅延させられ、あるいは行われないことがある。例えば、ｅＮｏｄｅＢが、ＣＣＡプロシージャに起因して、ダウンリンクにおける種々の基準信号を送信しないことがある。基準信号が欠如すると、ＵＥが、ｅＮｏｄｅＢのダウンリンクチャネルを正しく測定できない可能性がある。測定の欠如または不正確な測定は、無線リソース監視、無線リンク監視、および無線リンク不具合（radio link failure）検出に関してさらなる問題を引き起こし得る。以上に鑑み、共有およびアンライセンススペクトルにおけるワイヤレスデバイスの動作に関して、重大な問題および欠点が存在し得ることが理解される。
【発明の概要】
【０００８】
[0008]以下に、１つ以上の態様について、このような態様の基本的な理解をもたらすために、簡単な概要を示す。この概要は、企図されるすべての態様の広範な概観ではなく、すべての態様の主要または重要な構成要素を特定しようとするものでも、いずれかの態様またはすべての態様の技術的範囲を示そうとするものでもない。この概要の唯一の目的は、後に提示されるさらに詳細な説明の前置きとして、１つ以上の態様のいくつかの概念を簡略化した形態にて提示することにある。
【０００９】
[0009]本開示は、ワイヤレスデバイスにおける制御プレーン測定の実行を提供する。ワイヤレスデバイスは、アンライセンススペクトルを通じて受信されたマルチプルなサブフレームにまたがる信号、セルからの受信信号につき、測定を取得し得る。ワイヤレスデバイスは、オポチュニスティック送信（opportunistic transmissions）を含むサブフレームの第１のサブセットに関連する測定の第１のサブセット、およびギャランティード送信（guaranteed transmissions）を含むサブフレームの第２のサブセットに関連する測定の第２のサブセット、の一方または両方を識別し得る。また、ワイヤレスデバイスは、ＲＲＭ測定の第１のサブセットおよび測定の第２のサブセットの一方または両方にもとづいて１つまたは複数の測定値を決定し得る。ワイヤレスデバイスは、無線リソース管理測定値または無線リンク管理測定値を決定し得る。また、ワイヤレスデバイスは、無線リンク不具合を検出するためにアップリンク送信についてのタイマを使用し得る。
【００１０】
[0010]一態様において、本開示は、ワイヤレスデバイスにおいて制御プレーン測定を実行するための方法を提供する。本方法は、マルチプルなサブフレームにまたがってアンライセンススペクトルを通じて受信された信号に対し、セルの無線リソース管理（ＲＲＭ）測定を実行することを含み得る。本方法は、オポチュニスティック送信を含むサブフレームの第１のサブセットに関連するＲＲＭ測定の第１のサブセット、およびギャランティード送信を含むサブフレームの第２のサブセットに関連するＲＲＭ測定の第２のサブセット、の一方または両方を識別することをさらに含み得る。本方法は、ＲＲＭ測定の第１のサブセットおよびＲＲＭ測定の第２のサブセットの一方または両方にもとづいて１つまたは複数のＲＲＭ測定値を決定することも含み得る。別の態様において、本開示は、ワイヤレスデバイスにおける制御プレーン測定のための方法を提供する。本方法は、アンライセンススペクトルを通じて受信されたマルチプルなサブフレームにまたがって、受信したセル固有基準信号（ＣＲＳ）を測定することを含み得る。本方法は、オポチュニスティック送信を含むサブフレームの第１のサブセットに関連するＣＲＳ測定の第１のサブセットおよびギャランティード送信を含むサブフレームの第２のサブセットに関連するＣＲＳ測定の第２のサブセットを識別することをさらに含み得る。本方法は、ＣＲＳ測定の第１のサブセットについての第１の信号対干渉雑音比（ＳＩＮＲ）値、およびＣＲＳ測定の第２のサブセットについての第２のＳＩＮＲ値、の一方または両方を算出することも含み得る。本方法は、ＣＲＳ測定の第１のサブセットについて算出された第１のＳＩＮＲ値またはＣＲＳ測定の第２のサブセットについて算出された第２のＳＩＮＲ値に少なくとも部分的にもとづいて、ワイヤレスデバイスの無線リンク状態を監視することも含み得る。
【００１１】
[0011]別の態様において、本開示は、ワイヤレスデバイスにおいて無線リンク不具合（ＲＬＦ：radio link failure）を検出するための方法を提供する。本方法は、或る送信時間においてアップリンク送信プロシージャをトリガすることを含み得る。また、本方法は、送信時間においてタイマを開始させることを含み得る。本方法は、アップリンク送信を開始する前に、アップリンク送信のためにアンライセンススペクトルを通じて伝送媒体にアクセスするために、１つまたは複数のクリアチャネルアセスメントを実行することをさらに含み得る。また、本方法は、アップリンク送信を送信する前にタイマが満了するときに、ワイヤレスデバイスに関してＲＬＦを識別することを含み得る。
【００１２】
[0012]別の態様において、本開示は、ワイヤレスデバイスにおいてＲＬＦを検出するための別の方法を提供する。本方法は、無線リンク制御（ＲＬＣ）プロトコル・データ・ユニット（ＰＤＵ）を生成することを含み得る。本方法は、アンライセンススペクトルを通じてＲＬＣ  ＰＤＵを最初に送信するときにタイマを開始させることをさらに含み得る。また、本方法は、ＲＬＣ  ＰＤＵについての確認応答（acknowledgment）を受信する前にタイマが満了するとき、またはＲＬＣ  ＰＤＵについて最大数のＲＬＣ再送信が生じるときに、ＲＬＦを識別することを含み得る。
【００１３】
[0013]別の態様において、本開示は、ワイヤレスデバイスにおいて制御プレーン測定を実行するための装置を提供する。本装置は、マルチプルなサブフレームにまたがってアンライセンススペクトルを通じて信号を受信するように構成されたトランシーバを含み得る。本装置は、メモリと、トランシーバおよびメモリに通信可能に結合されたプロセッサとをさらに含み得る。プロセッサおよびメモリは、マルチプルなサブフレームにまたがってアンライセンススペクトルを通じて受信された信号に対し、セルのＲＲＭ測定を実行するように構成され得る。プロセッサおよびメモリは、オポチュニスティック送信を含むサブフレームの第１のサブセットに関連するＲＲＭ測定の第１のサブセット、およびギャランティード送信を含むサブフレームの第２のサブセットに関連するＲＲＭ測定の第２のサブセット、の一方または両方を識別するようにさらに構成され得る。プロセッサおよびメモリは、ＲＲＭ測定の第１のサブセットおよびＲＲＭ測定の第２のサブセットの一方または両方にもとづいて１つまたは複数のＲＲＭ測定値を決定するようにさらに構成され得る。
【００１４】
[0014]別の態様において、本開示は、ワイヤレスデバイスにおける制御プレーン測定のための別の装置を提供する。本装置は、マルチプルなサブフレームにまたがってアンライセンススペクトルを通じて信号を受信するように構成されたトランシーバを含み得る。本装置は、メモリと、トランシーバおよびメモリに通信可能に結合されたプロセッサとをさらに含み得る。プロセッサおよびメモリは、アンライセンススペクトルを通じて受信されたマルチプルなサブフレームにまたがって、セルからの受信ＣＲＳを測定するように構成され得る。プロセッサおよびメモリは、オポチュニスティック送信を含むサブフレームの第１のサブセットに関連するＣＲＳ測定の第１のサブセット、およびギャランティード送信を含むサブフレームの第２のサブセットに関連するＣＲＳ測定の第２のサブセット、の一方または両方を識別するようにも構成され得る。プロセッサおよびメモリは、ＣＲＳ測定の第１のサブセットについての第１のＳＩＮＲ値およびＣＲＳ測定の第２のサブセットについての第２のＳＩＮＲ値の一方または両方を算出するようにも構成され得る。プロセッサおよびメモリは、ＣＲＳ測定の第１のサブセットについて算出された第１のＳＩＮＲ値またはＣＲＳ測定の第２のサブセットについて算出された第２のＳＩＮＲ値に少なくとも部分的にもとづいて、ワイヤレスデバイスの無線リンク状態を監視するようにも構成され得る。
【００１５】
[0015]別の態様において、本開示は、ワイヤレスデバイスにおいて制御プレーン測定を実行するための別の装置を提供する。本装置は、マルチプルなサブフレームにまたがってアンライセンススペクトルを通じて受信された信号に対し、セルのＲＲＭ測定を実行するための手段を含み得る。本装置は、オポチュニスティック送信を含むサブフレームの第１のサブセットに関連するＲＲＭ測定の第１のサブセット、およびギャランティード送信を含むサブフレームの第２のサブセットに関連するＲＲＭ測定の第２のサブセット、の一方または両方を識別するための手段をさらに含み得る。本装置は、ＲＲＭ測定の第１のサブセットおよびＲＲＭ測定の第２のサブセットの一方または両方にもとづいて１つまたは複数のＲＲＭ測定値を決定するための手段も含み得る。
【００１６】
[0016]別の態様において、本開示は、ワイヤレスデバイスにおける制御プレーン測定のための別の装置を提供する。本装置は、アンライセンススペクトルを通じて受信されたマルチプルなサブフレームにまたがって、ＣＲＳ測定を得るためにセルからの受信ＣＲＳを測定するための手段を含み得る。本装置は、オポチュニスティック送信を含むサブフレームの第１のサブセットに関連するＣＲＳ測定の第１のサブセット、およびギャランティード送信を含むサブフレームの第２のサブセットに関連するＣＲＳ測定の第２のサブセット、の一方または両方を識別するための手段をさらに含み得る。さらに、本装置は、ＣＲＳ測定の第１のサブセットについての第１のＳＩＮＲ値およびＣＲＳ測定の第２のサブセットについての第２のＳＩＮＲ値の一方または両方を算出するための手段も含み得る。本装置は、ＣＲＳ測定の第１のサブセットについて算出された第１のＳＩＮＲ値またはＣＲＳ測定の第２のサブセットについて算出された第２のＳＩＮＲ値に少なくとも部分的にもとづいて、ワイヤレスデバイスの無線リンク状態を監視するための手段をさらに含み得る。
【００１７】
[0017]別の態様において、本開示は、ワイヤレスデバイスにおいて制御プレーン測定を実行するためのコンピュータ実行可能なコードを格納しているコンピュータ読み取り可能な媒体を提供する。コンピュータ読み取り可能な媒体は、マルチプルなサブフレームにまたがってアンライセンススペクトルを通じて受信された信号に対し、セルのＲＲＭ測定を実行するためのコードを含み得る。コンピュータ読み取り可能な媒体は、オポチュニスティック送信を含むサブフレームの第１のサブセットに関連するＲＲＭ測定の第１のサブセットおよびギャランティード送信を含むサブフレームの第２のサブセットに関連するＲＲＭ測定の第２のサブセットの一方または両方を識別するためのコードも含み得る。コンピュータ読み取り可能な媒体は、ＲＲＭ測定の第１のサブセットおよびＲＲＭ測定の第２のサブセットの一方または両方にもとづいて１つまたは複数のＲＲＭ測定値を決定するためのコードをさらに含み得る。
【００１８】
[0018]別の態様において、本開示は、ワイヤレスデバイスにおける制御プレーン測定のためのコンピュータ実行可能なコードを格納しているコンピュータ読み取り可能な媒体を提供する。コンピュータ読み取り可能な媒体は、アンライセンススペクトルを通じて受信されたマルチプルなサブフレームにまたがって、ＣＲＳ測定を得るためにセルからの受信ＣＲＳを測定するためのコードを含み得る。コンピュータ読み取り可能な媒体は、オポチュニスティック送信を含むサブフレームの第１のサブセットに関連するＣＲＳ測定の第１のサブセット、およびギャランティード送信を含むサブフレームの第２のサブセットに関連するＣＲＳ測定の第２のサブセット、の一方または両方を識別するためのコードをさらに含み得る。コンピュータ読み取り可能な媒体は、ＣＲＳ測定の第１のサブセットの一方または両方についての第１のＳＩＮＲ値およびＣＲＳ測定の第２のサブセットについての第２のＳＩＮＲ値の一方または両方を算出するためのコードも含み得る。コンピュータ読み取り可能な媒体は、ＣＲＳ測定の第１のサブセットについて算出された第１のＳＩＮＲ値またはＣＲＳ測定の第２のサブセットについて算出された第２のＳＩＮＲ値に少なくとも部分的にもとづいて、ワイヤレスデバイスの無線リンク状態を監視するためのコードをさらに含み得る。
【００１９】
[0019]別の態様において、本開示は、ワイヤレスデバイスにおいてＲＬＦを検出するための装置を提供する。本装置は、アンライセンススペクトルを通じて信号を受信および送信するように構成されたトランシーバを含み得る。また、本装置は、メモリと、トランシーバおよびメモリに通信可能に結合されたプロセッサとを含み得る。プロセッサおよびメモリは、或る送信時間においてトランシーバを介してアップリンク送信プロシージャをトリガするように構成され得る。プロセッサおよびメモリは、送信時間においてタイマを開始させるようにも構成され得る。メモリおよびプロセッサは、トランシーバを介して、アップリンク送信を開始する前に、アップリンク送信のためにアンライセンススペクトルを通じて伝送媒体にアクセスするために、１つまたは複数のクリアチャネルアセスメントを実行するようにも構成され得る。プロセッサおよびメモリは、アップリンク送信を送信する前にタイマが満了するときに、ワイヤレスデバイスに関してＲＬＦを識別するようにも構成され得る。
【００２０】
[0020]別の態様において、本開示は、ワイヤレスデバイスにおいてＲＬＦを検出するための装置を提供する。本装置は、或る送信時間においてアップリンク送信プロシージャをトリガするための手段を含み得る。本装置は、送信時間においてタイマを開始させるための手段も含み得る。本装置は、アップリンク送信を開始する前に、アップリンク送信のためにアンライセンススペクトルを通じて伝送媒体にアクセスするために、１つまたは複数のクリアチャネルアセスメントを実行するための手段をさらに含み得る。本装置は、アップリンク送信を送信する前にタイマが満了するときにワイヤレスデバイスに関してＲＬＦを識別するための手段を含み得る。
【００２１】
[0021]別の態様において、本開示は、ワイヤレスデバイスにおけるＲＬＦの検出のためのコンピュータ実行可能なコードを格納しているコンピュータ読み取り可能な媒体を提供する。コンピュータ読み取り可能な媒体は、或る送信時間においてアップリンク送信プロシージャをトリガするためのコードを含み得る。コンピュータ読み取り可能な媒体は、送信時間においてタイマを開始させるためのコードも含み得る。コンピュータ読み取り可能な媒体は、アップリンク送信を開始する前に、アップリンク送信のためにアンライセンススペクトルを通じて伝送媒体にアクセスするために、１つまたは複数のクリアチャネルアセスメントを実行するためのコードをさらに含み得る。コンピュータ読み取り可能な媒体は、アップリンク送信を送信する前にタイマが満了するときにワイヤレスデバイスに関してＲＬＦを識別するためのコードを含み得る。
【００２２】
[0022]別の態様において、本開示は、ワイヤレスデバイスにおいてＲＬＦを検出するための装置を提供する。本装置は、アンライセンススペクトルを通じて信号を送信および受信するように構成されたトランシーバを含み得、本装置は、メモリと、トランシーバおよびメモリに通信可能に結合されたプロセッサとをさらに含み得る。プロセッサおよびメモリは、ＲＬＣ  ＰＤＵを生成するように構成され得る。プロセッサおよびメモリは、アンライセンススペクトルを通じてＲＬＣ  ＰＤＵを最初に送信するときにタイマを開始させるように構成され得る。プロセッサおよびメモリは、ＲＬＣ  ＰＤＵについての確認応答を受信する前にタイマが満了するとき、またはＲＬＣ  ＰＤＵについて最大数のＲＬＣ再送信が生じるときに、ＲＬＦを識別するように構成され得る。
【００２３】
[0023]別の態様において、本開示は、ワイヤレスデバイスにおいてＲＬＦを検出するための装置を提供する。本装置は、ＲＬＣ  ＰＤＵを生成するための手段を含み得る。本装置は、アンライセンススペクトルを通じてＲＬＣ  ＰＤＵを最初に送信するときにタイマを開始させるための手段をさらに含み得る。本装置は、ＲＬＣ  ＰＤＵについての確認応答を受信する前にタイマが満了するとき、またはＲＬＣ  ＰＤＵについて最大数のＲＬＣ再送信が生じるときに、ＲＬＦを識別するための手段も含み得る。
【００２４】
[0024]ワイヤレスデバイスにおいてＲＬＦを検出するためのコンピュータ実行可能なコードを格納しているコンピュータ読み取り可能な媒体。コンピュータ読み取り可能な媒体は、ＲＬＣ  ＰＤＵを生成するためのコードを含み得る。コンピュータ読み取り可能な媒体は、アンライセンススペクトルを通じてＲＬＣ  ＰＤＵを最初に送信するときにタイマを開始させるためのコードをさらに含み得る。コンピュータ読み取り可能な媒体は、ＲＬＣ  ＰＤＵについての確認応答を受信する前にタイマが満了するとき、またはＲＬＣ  ＰＤＵについて最大数のＲＬＣ再送信が生じるときに、ＲＬＦを識別するためのコードも含み得る。
【００２５】
[0025]本開示の種々の態様および特徴が、添付の図面に示されるとおりの種々の例を参照して、以下でさらに詳しく説明される。本開示は、以下で種々の例を参照して説明されるが、本開示が、それらに限定されるわけではないことを、理解すべきである。当業者であれば、本明細書における教示を利用することで、本明細書において説明される本開示の範囲に包含され、本開示が大いに有益となり得るさらなる実施例、改良、および例、ならびに他の使用の分野を、認識できるであろう。
【００２６】
[0026]本開示のより充分な理解を容易にするために、次に添付の図面を参照するが、添付の図面において、類似の構成要素は類似の数字で指し示されており、破線はオプションのコンポーネントまたは動作を示し得る。これらの図は、本開示を限定するものとして解釈されてはならず、あくまでも例示として意図されているにすぎない。
【図面の簡単な説明】
【００２７】
【図１】[0027]図１は、本開示の一態様による遠隔通信システムの例を概念的に示すブロック図である。
【図２】[0028]図２は、本開示の一態様によるワイヤレスデバイスにおける制御プレーン測定の実行方法の例を概念的に示すフロー図である。
【図３】[0029]図３は、本開示の一態様によるワイヤレスデバイスにおける制御プレーン測定の実行方法の別の例を概念的に示すフロー図である。
【図４】[0030]図４は、本開示の一態様によるワイヤレスデバイスにおける無線リンク不具合の取り扱い方法の例を概念的に示すフロー図である。
【図５】[0031]図５は、本開示の一態様によるワイヤレスデバイスにおける無線リンク不具合の取り扱い方法の別の例を概念的に示すフロー図である。
【図６】[0032]図６は、本開示の一態様による無線フレーム構造を概念的に示すブロック図である。
【図７】[0033]図７は、本開示の一態様による遠隔通信システムの例を概念的に示すブロック図である。
【図８】[0034]図８は、本開示の一態様に従って構成された例示的なｅＮｏｄｅＢおよび例示的なＵＥを概念的に示すブロック図である。
【発明を実施するための形態】
【００２８】
[0035]本開示は、いくつかの態様において、アンライセンススペクトルにおいて動作するユーザ機器（ＵＥ）によって実行される測定および監視に関する。ＵＥは、２つのタイプのダウンリンク送信にもとづいて測定を実行し得る。第１のタイプのダウンリンク送信は、オポチュニスティック送信であり得る。本明細書において使用されるとき、「オポチュニスティック送信（opportunistic transmission）」は、キャリアまたはチャネルが特定の条件を満たす（例えば、キャリアまたはチャネルが使用されていない）ときに行われ得る送信を指し得る。例えば、一態様において、オポチュニスティック送信は、送信前にＣＣＡプロシージャまたは拡張ＣＣＡ（Ｅ−ＣＣＡ）プロシージャの対象であり得る。第２のタイプのダウンリンク送信は、ギャランティード送信であり得る。本明細書において使用されるとき、「ギャランティード送信（guaranteed transmission）」は、特定の時点において起こることが保証されている送信を指し得る。例えば、ギャランティード送信は、特定のサブフレームにてｅＮｏｄｅＢから受信され得る。一態様において、ｅＮｏｄｅＢは、特定のサブフレームをダウンリンククリアチャネルアセスメント（ＣＣＡ）免除送信（exempt transmissions）（Ｄ−ＣＥＴ）のために指定し得る。Ｄ−ＣＥＴサブフレームの間、ｅＮｏｄｅＢは、ＬＢＴまたはＣＣＡプロシージャを実行することなく送信を行い得る。したがって、ｅＮｏｄｅＢは、送信を保証（guarantee）するためにＤ−ＣＥＴサブフレームを使用し得る。一態様において、ギャランティード送信は、サブフレームの特定の割合に限定され得、あるいはサブフレーム間の最小限の間隔を必要とし得る。したがって、一態様においては、オポチュニスティック送信が、ユーザデータの送信の大部分について使用され得る一方で、ギャランティード送信は、シグナリングに使用され得る。一態様において、ギャランティード送信を含むサブフレームは、オポチュニスティック送信を含むサブフレームとは異なる送信条件を経験し得る。例えば、ギャランティード送信を含むサブフレームは、一般に、チャネルがクリアでないことがあるがゆえ、より強い干渉を経験し得る。
【００２９】
[0036]一態様において、ＵＥは、オポチュニスティック送信を含むサブフレーム、およびギャランティード送信を含むサブフレーム、あるいは両方にもとづいて、異なる測定を実行し得る。例えば、無線リソースの監視の測定は、基準信号受信電力（ＲＳＲＰ）、受信信号強度インジケータ（ＲＳＳＩ）、および基準信号受信品質（ＲＳＲＱ）を含み得る。一態様において、ＲＳＲＰは、オポチュニスティック送信またはギャランティード送信のいずれかを含むいくつかのサブフレームにわたってフィルタ処理され得る。一態様において、ＵＥは、オポチュニスティック送信を含むサブフレームの第１のセットおよびギャランティード送信を含むサブフレームの第２のサブセットについて別々のＲＳＳＩ値およびＲＳＲＱ値を算出し得る。また、ＵＥは、信号対干渉雑音比（ＳＩＮＲ）などの無線リンク監視（ＲＬＭ）測定値を、サブフレームの第１のサブセットおよびサブフレームの第２のサブセットについて別々に算出し得る。
【００３０】
[0037]添付の図面に関連して以下で述べられる詳細な説明は、種々の構成の説明として意図されており、本明細書に記載の概念が実現され得る唯一の構成を表そうとしたものではない。詳細な説明は、種々の概念の完全な理解をもたらす目的で、具体的な詳細を含む。しかしながら、これらの概念が、これらの具体的な詳細を備えることなく実施され得ることは、当業者にとって明らかであろう。いくつかの場合においては、このような概念を不明瞭にしてしまわないよう、周知のコンポーネントは、ブロック図の形態で示される。
【００３１】
[0038]本明細書に記載の技術は、ＣＤＭＡ、ＴＤＭＡ、ＦＤＭＡ、ＯＦＤＭＡ、ＳＣ−ＦＤＭＡ、および他のネットワークなどの種々のワイヤレス通信ネットワークに使用され得る。用語「ネットワーク」および「システム」は、しばしば入れ替え可能に使用される。ＣＤＭＡネットワークは、ユニバーサル地上波無線アクセス（ＵＴＲＡ）、ｃｄｍａ２０００、などの無線技術を実践し得る。ＵＴＲＡは、広帯域ＣＤＭＡ（ＷＣＤＭＡ（登録商標））およびＣＤＭＡの他の変種を含む。ｃｄｍａ２０００は、ＩＳ−２０００、ＩＳ−９５、およびＩＳ−８５６規格を包含する。ＴＤＭＡネットワークは、グローバル・システム・フォア・モバイル・コミュニケーション（ＧＳＭ（登録商標））などの無線技術を実践し得る。ＯＦＤＭＡネットワークは、エボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュＯＦＤＭＡ、などの無線技術を実践し得る。ＵＴＲＡおよびＥ−ＵＴＲＡは、ユニバーサル移動体通信システム（ＵＭＴＳ）の一部である。３ＧＰＰロング・ターム・エボリューション（ＬＴＥ）およびＬＴＥアドバンスト（ＬＴＥ−Ａ）は、Ｅ−ＵＴＲＡを使用するＵＭＴＳの新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と呼ばれる団体からの文書に説明されている。ｃｄｍａ２０００およびＵＭＢは、「第３世代パートナーシッププロジェクト２」（３ＧＰＰ２）と呼ばれる団体からの文書に説明されている。本明細書に記載の技術は、上述の無線ネットワークおよび無線技術ならびに他の無線ネットワークおよび無線技術について使用され得る。明瞭さのために、技術の特定の態様が、以下でＬＴＥに関して説明され、ＬＴＥ用語が、以下の説明の大部分において使用される。
【００３２】
[0039]便宜上、アンライセンス無線周波数（ＲＦ）帯域における利用のためのＬＴＥおよび／またはＬＴＥアドバンストの使用、動作、拡張、および／または適応は、本明細書において、「アンライセンススペクトルにおけるＬＴＥ／ＬＴＥアドバンスト」、「アンライセンススペクトルにおけるＬＴＥ／ＬＴＥアドバンストの適応」、「アンライセンススペクトルへのＬＴＥ／ＬＴＥアドバンストの拡張」、および「アンライセンススペクトルにおけるＬＴＥ／ＬＴＥアドバンスト通信」、などと称され得る。さらに、アンライセンススペクトルにおいてＬＴＥ／ＬＴＥアドバンストを提供し、適応させ、あるいは拡張するネットワークまたはデバイスは、競合ベース（contention-based）の無線周波数帯域またはスペクトルにおいて動作するように構成されたネットワークまたはデバイスを指すことができる。
【００３３】
[0040]いくつかのシステムにおいて、アンライセンススペクトルにおけるＬＴＥは、すべてのキャリアがワイヤレススペクトルのアンライセンス部分にてもっぱら動作するスタンドアロンの構成にて使用され得る（例えば、ＬＴＥスタンドアロン）。他のシステムにおいて、アンライセンススペクトルにおけるＬＴＥは、ワイヤレススペクトルのうちのアンライセンス部分において動作する１つまたは複数のアンライセンスキャリアをワイヤレススペクトルのうちのライセンスされた部分において動作するアンカ（anchor）ライセンスキャリアと併せて提供することにより、ライセンスされた帯域の動作を補うやり方で使用され得る（例えば、ＬＴＥ補助ダウンリンク（ＳＤＬ））。いずれの場合も、キャリアアグリゲーションが、１つのキャリアを該当のユーザ機器（ＵＥ）のためのプライマリセル（ＰＣｅｌｌ）（例えば、ＬＴＥ  ＳＤＬにおけるアンカライセンスキャリアまたはＬＴＥスタンドアロンにおけるアンライセンスキャリアのうちの指定の１つ）とし、残りのキャリアをそれぞれのセカンダリセル（ＳＣｅｌｌ）とする種々の部分キャリアの管理に使用され得る。このやり方で、ＰＣｅｌｌは、ＦＤＤペアのダウンリンクおよびアップリンク（ライセンスまたはアンライセンス）を提供し得、各々のＳＣｅｌｌは、所望に応じて追加のダウンリンク容量を提供し得る。
【００３４】
[0041]一般に、ＬＴＥは、ダウンリンクにおける直交周波数分割多重化（ＯＦＤＭ）およびアップリンクにおけるシングルキャリア周波数分割多重化（ＳＣ−ＦＤＭ）を利用する。一態様においては、ＯＦＤＭまたはＳＣ−ＦＤＭのいずれかが、サブフレームごとのやり方でアップリンクにおいて利用され得る。ＯＦＤＭおよびＳＣ−ＦＤＭは、システム帯域幅を、複数（Ｋ個）の直交するサブキャリアへと分割し、サブキャリアは、トーン、ビン、などとも一般的に称される。各々のサブキャリアが、データで変調され得る。一般に、変調シンボルが、ＯＦＤＭでは周波数ドメインにおいて送信され、ＳＣ−ＦＤＭでは時間ドメインにおいて送信される。隣り合うサブキャリアの間の間隔は、固定され得、サブキャリアの総数（Ｋ）は、システム帯域幅に依存し得る。例えば、サブキャリアの間隔は、１５ｋＨｚであり得、最小のリソースの割り当て（「リソースブロック」と呼ばれる）は、１２個のサブキャリア（または、１８０ｋＨｚ）であり得る。結果として、公称の高速フーリエ変換（ＦＦＴ）サイズは、１．２５、２．５、５、１０、または２０メガヘルツ（ＭＨｚ）のそれぞれのシステム帯域幅において１２８、２５６、５１２、１０２４、または２０４８に等しくてよい。また、システム帯域幅も、サブバンドへと分割され得る。例えば、サブバンドが、１．０８ＭＨｚをカバーし得、１．２５、２．５、５、１０、または２０ＭＨｚのそれぞれのシステム帯域幅において１、２、４、８、または１６個のサブバンドが存在し得る。
【００３５】
[0042]また、ＬＴＥはキャリアアグリゲーションを使用し得る。ＵＥ（例えば、ＬＴＥアドバンストが可能なＵＥ）は、送信および受信に使用される合計で１００ＭＨｚ（５つの部分キャリア）までのキャリアアグリゲーションにおいて割り当てられた２０ＭＨｚまでの帯域幅のスペクトルを使用し得る。ＬＴＥアドバンストが可能なワイヤレス通信システムに関して、２つのタイプのキャリアアグリゲーション（ＣＡ）法、すなわち連続ＣＡおよび非連続ＣＡが提案されている。連続ＣＡは、マルチプルな利用可能な部分キャリアが互いに隣接している場合に生じる。他方で、非連続ＣＡは、マルチプルな非隣接の利用可能な部分キャリアが周波数帯に沿って隔てられている場合に生じる。非連続および連続の両方のＣＡは、マルチプルな部分キャリアをＬＴＥアドバンストのＵＥの単一のユニットに仕えるように集合させ得る。
【００３６】
[0043]図１を参照すると、一態様において、ワイヤレス通信システム１０は、少なくとも１つのｅＮｏｄｅＢ１４の通信カバレッジ内の少なくとも１つのＵＥ１２を含む。ＵＥ１２は、ｅＮｏｄｅＢ１４を介してエボルブド・パケット・コア（ＥＰＣ）１６を含むネットワーク１８などの第１の無線アクセス技術（ＲＡＴ）ネットワーク（例えば、ＬＴＥネットワーク）と通信し得る。マルチプルなＵＥ１２が、ワイヤレス通信システム１０のあらゆる場所に分散し得、各々のＵＥ１２は、不動または移動可能であり得る。ＵＥ１２は、当業者によって、移動局、加入者設備、モバイルユニット、加入者ユニット、ワイヤレスユニット、リモートユニット、移動機、ワイヤレスデバイス、ワイヤレス通信デバイス、リモートデバイス、移動加入者設備、アクセス端末、モバイル端末、ワイヤレス端末、リモート端末、ハンドセット、ユーザエージェント、モバイルクライアント、クライアント、または何らかの他の適切な用語でも呼ばれ得る。ＵＥ１２は、携帯電話機、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレス・ローカル・ループ（ＷＬＬ）ステーション、グローバル・ポジショニング・システム（ＧＰＳ）デバイス、マルチメディアデバイス、ビデオデバイス、デジタルオーディオ再生機（例えば、ＭＰ３再生機）、カメラ、ゲーム機、ウェアラブル・コンピューティング・デバイス（例えば、スマートウォッチ、スマート眼鏡、健康またはフィットネス記録器、など）、電化製品、センサ、車両通信システム、医療機器、自動販売機、インターネット・オブ・シングスのためのデバイス、あるいは任意の他の同様の機能デバイスであり得る。ＵＥ１２は、マクロｅＮｏｄｅＢ、ピコｅＮｏｄｅＢ、フェムトｅＮｏｄｅＢ、中継装置、などと通信可能であり得る。
【００３７】
[0044]ｅＮｏｄｅＢ１４は、ＵＥ１２をサーブするセルを提供し得る。いくつかの態様においては、ＵＥ１２などのマルチプルなＵＥが、ｅＮｏｄｅＢ１４を含む１つまたは複数のｅＮｏｄｅＢによる通信カバレッジ内にあり得る。ｅＮｏｄｅＢ１４は、ＵＥ１２と通信するステーションであり得、基地局、アクセスポイント、ｅＮｏｄｅＢ、などと称されることもあり得る。ｅＮｏｄｅＢ１４などの各々のｅＮｏｄｅＢは、特定の地理的領域のための通信カバレッジを提供し得る。３ＧＰＰにおいては、用語「セル」が、この用語の使用の文脈に応じて、ｅＮｏｄｅＢ１４のカバレッジ領域および／またはこのカバレッジ領域をサーブするｅＮｏｄｅＢサブシステムを指すことができる。例えば、ｅＮｏｄｅＢ１４は、ＵＥ１２が接続確立プロシージャを最初に実行するセルであり得る。このようなセルは、プライマリセルまたはＰセルと称され得る。別のｅＮｏｄｅＢ（図示されていない）が、別の周波数において動作し得、セカンダリセルと称され得る。ｅＮｏｄｅＢが、ＵＥ１２の接続状態に応じてプライマリセルまたはセカンダリセルのいずれかとして動作し得ることは、明らかである。プライマリセル識別子（ＰＣＩ）などのセルＩＤが、ｅＮｏｄｅＢへとマッピングされ得る。ＵＥは、マルチプルなｅＮｏｄｅＢのカバレッジ領域内に位置し得る。これらのｅＮｏｄｅＢのうちの１つが、ＵＥをサーブするために選択され得る。サービングｅＮｏｄｅＢは、受信電力、経路損失、信号対雑音比（ＳＮＲ）、などの無線リソースの監視の測定および無線リンクの監視の測定を含む種々の基準にもとづいて選択され得る。
【００３８】
[0045]ｅＮｏｄｅＢ１４は、マクロセル、スモールセル、ピコセル、フェムトセル、および／または他のタイプのセルのための通信カバレッジを提供し得る。マクロセルは、比較的大きな地理的領域（例えば、半径数キロメートル）をカバーし得、サービスに加入しているＵＥ１２による無制限のアクセスを許可し得る。用語「スモールセル」は、本明細書において使用されるとき、マクロセルの送信電力および／またはカバレッジ領域と比べて比較的小さい送信電力および／または比較的小さいカバレッジ領域のセルを指す。さらに、用語「スモールセル」は、これらに限られるわけではないが、フェムトセル、ピコセル、アクセスポイント基地局、Ｈｏｍｅ  ＮｏｄｅＢ、フェムトアクセスポイント、またはフェムトセルなどのセルを含み得る。例えば、マクロセルは、これに限られるわけではないが半径数キロメートルなど、比較的大きい地理的領域をカバーし得る。対称的に、ピコセルは、比較的小さな地理的領域をカバーし得、サービスに加入しているＵＥ１２による無制限のアクセスを許可し得る。フェムトセルは、比較的小さな地理的領域（例えば、家庭）をカバーし得、フェムトセルとの関連を有するＵＥ１２（例えば、ＵＥ１２は、閉じた加入者グループ（ＣＳＧ）へと加入し得る、家庭内のユーザ用であり得る、など）による制限されたアクセスを許可し得る。マクロセルのためのｅＮｏｄｅＢ１４は、マクロｅＮｏｄｅＢと称され得る。ピコセルのためのｅＮｏｄｅＢ１４は、ピコｅＮｏｄｅＢと称され得る。フェムトセルのためのｅＮｏｄｅＢ１４は、フェムトｅＮｏｄｅＢまたはホームｅＮｏｄｅＢと称され得る。
【００３９】
[0046]一態様において、ＵＥ１２は、ネットワーク２４などの第２のＲＡＴネットワークとも通信し得る。ネットワーク２４は、例えばＵＴＲＡ、ＣＤＭＡ、ＧＳＭ、ＷｉＭａｘ、または他のワイド・エリア・ネットワークであり得る。ネットワーク２４は、Ｗｉ−Ｆｉローカル・エリア・ネットワーク（ＬＡＮ）または他の同様のネットワークも含み得る。ＵＥ１２は、基地局２０を介してネットワーク２４と通信し得る。基地局２０は、ＵＥ１２と通信するステーションであり得、ｅＮｏｄｅＢ、アクセスポイント、ｅＮｏｄｅＢ、などと称されることもあり得る。ネットワーク２４は、無線ネットワークコントローラ２２あるいはルータやスイッチなどの他の中間ノードも含み得る。一態様において、ネットワーク２４は、ネットワーク１８と同時に使用されるサービスを提供し得る。例えば、ネットワーク２４は、音声サービスを提供し得る一方で、ネットワーク１８は、データサービスを提供する。ＵＥ１２は、たとえ現時点においてアクティブなネットワーク２４との呼がなくても、ページングまたは他のシグナリングのためにネットワーク２４を定期的に監視し得る。別の態様において、基地局２０は、ｅＮｏｄｅＢ１４と同様のｅＮｏｄｅＢであり得、ＥＰＣ１６と通信し得る。
【００４０】
[0047]ＵＥ１２は、ｅＮｏｄｅＢ１４または基地局２０のうちの１つまたは複数について測定および監視を実行するように構成され得る。本態様によれば、ＵＥ１２は、受信される無線周波数（ＲＦ）信号に対して測定および監視を実行するためにモデムコンポーネント４０との組み合わせにおいて動作し得る１つまたは複数のプロセッサ１０３を含み得る。例えば、モデムコンポーネント４０は、ｅＮｏｄｅＢ１４からの通信２６を受信し得、それは、セル固有基準信号（ＣＲＳ）などの基準信号を含み得る。また、ＵＥ１２は、信号２８も受信し得、信号２８は、少なくともいくつかの場合において通信２６と干渉し、異なるＲＲＭおよびＲＬＭ測定値を生み出し得る。例えば、ギャランティード送信の間は、信号２８が通信２６と干渉し得る一方で、オポチュニスティック送信の間は、通信２６が、信号２８が存在しない場合に限って行われ得る。したがって、オポチュニスティック送信において受信される通信２６は、より高いＲＲＭおよびＲＬＭ測定値を生み出し得る。一態様において、用語「コンポーネント」は、本明細書において使用されるとき、システムを構成する部品のうちの１つであり得、ハードウェア、ファームウェア、および／またはソフトウェアであり得、他のコンポーネントへと分割され得る。モデムコンポーネント４０は、トランシーバ１０６に通信可能に接続され得、トランシーバ１０６は、ＲＦ信号を受信および処理するための受信機３２ならびにＲＦ信号を処理および送信するための送信機３４を含み得る。モデムコンポーネント４０は、受信したＲＦ信号の測定を取得するための測定コンポーネント４２と、受信したサブフレームをオポチュニスティック送信またはギャランティード送信のいずれかとして識別するためのサブフレーム分類器４４と、特定のサブフレームまたはサブフレームのサブセットについて取得された測定にもとづいて測定値を算出するための値算出コンポーネント４６と、ＲＲＭ測定値を評価するための無線リソース監視（ＲＲＭ）コンポーネント４８と、ｅＮｏｄｅＢ１４とＵＥ１２との間の無線リンクを監視するための無線リンク監視コンポーネント５０と、アップリンク送信を実行するための送信コンポーネント６０とを含み得る。
【００４１】
[0048]受信機３２は、データを受信するためのハードウェア、ファームウェア、および／またはプロセッサによって実行されることができるソフトウェアコードを含み得、コードは、インストラクションを備え、メモリ（例えば、コンピュータ読み取り可能な媒体）に保存される。受信機３２は、例えば無線周波数（ＲＦ）受信機であり得る。一態様において、受信機３２は、ｅＮｏｄｅＢ１４によって送信された信号を受信し得る。受信機３２は、信号の測定を取得し得る。例えば、受信機３２は、１つまたは複数の信号のＥｃ／Ｉｏ、ＳＮＲ、電力振幅、などを決定し得る。
【００４２】
[0049]送信機３４は、データを送信するためのハードウェア、ファームウェア、および／またはプロセッサによって実行されることができるソフトウェアコードを含み得、コードは、インストラクションを備え、メモリ（例えば、コンピュータ読み取り可能な媒体）に保存される。送信機３４は、例えばＲＦ送信機であり得る。
【００４３】
[0050]一態様において、１つまたは複数のプロセッサ１０３は、モデム１０８を形成する１つ以上のモデムプロセッサを含むことができる。モデムコンポーネント４０に関する種々の機能は、モデム１０８および／またはプロセッサ１０３に含まれ得、一態様においては単一のプロセッサによって実行されることができるが、他の態様においては、機能のうちの異なるいくつかが、２つ以上の異なるプロセッサの組み合わせによって実行され得る。例えば、一態様において、１つまたは複数のプロセッサ１０３は、モデムプロセッサ、またはベースバンドプロセッサ、またはデジタル信号プロセッサ、または送信プロセッサ、またはトランシーバ１０６に関連付けられたトランシーバプロセッサの任意の１つまたは任意の組み合わせを含み得る。とくには、１つまたは複数のプロセッサ１０３は、受信したＲＦ信号の測定を取得するための測定コンポーネント４２、受信したサブフレームをオポチュニスティック送信またはギャランティード送信のいずれかとして識別するためのサブフレーム分類器４４、特定のサブフレームまたはサブフレームのサブセットについて取得された測定にもとづいて測定値を算出するための値算出コンポーネント４６、ＲＲＭ測定値を評価するためのＲＲＭコンポーネント４８、ｅＮｏｄｅＢ１４とＵＥ１２との間の無線リンクを監視するための無線リンク監視コンポーネント５０、およびアップリンク送信を実行するための送信コンポーネント６０などを含む、モデムコンポーネント４０に含まれるコンポーネントを実現し得る。
【００４４】
[0051]測定コンポーネント４２は、受信したＲＦ信号の測定を取得するためのハードウェア、ファームウェア、および／またはプロセッサ（例えば、プロセッサ１０３）によって実行されることができるソフトウェアコードを含み得る。一態様において、例えば、測定コンポーネント４２は、例えばアンテナ１０２と、ＲＦフロントエンド１０４と、受信機３２とを含むＲＦ受信チェーンを含み得、あるいはこのようなＲＦ受信チェーンを制御し得る。測定コンポーネント４２は、各々のサブフレームあるいはサブフレーム内の個々のシンボルまたはこれの一部について測定またはサンプルを取得し得る。一態様において、測定コンポーネント４２は、受信した信号の電力振幅、基準信号の電力振幅、セル固有基準信号（ＣＲＳ）測定、などを取得し得る。
【００４５】
[0052]サブフレーム分類器４４は、オポチュニスティック送信を含むサブフレームの第１のセットおよびギャランティード送信を含むサブフレームの第２のサブセットを識別するためのハードウェア、ファームウェア、および／またはプロセッサ（例えば、プロセッサ１０３）によって実行されることができるソフトウェアコードを含み得る。一態様において、例えば、サブフレーム分類器４４は、各々のサブフレームにおいて得られた測定ならびにダウンリンクフレーム構造およびシグナリングにもとづいてサブフレームを分類するように構成されたプロセッサを含み得る。一態様においては、ギャランティードサブフレームが、ダウンリンクフレーム構造にもとづいて決定され得る。例えば、ｅＮｏｄｅＢ１４は、どのサブフレームがＤ−ＣＥＴ送信用に指定されるかを（例えば、無線リソース制御（ＲＲＣ）シグナリングまたはシステム情報ブロック（ＳＩＢ）メッセージによって）前もって示し得る。Ｄ−ＣＥＴ送信用に指定されたサブフレームは、オポチュニスティック送信を含むサブフレームの第１のセットの構成員と考えられ得る。一態様において、オポチュニスティック送信を含むサブフレームは、ギャランティード送信を含まないあらゆるサブフレームであると決定され得る。別の態様において、サブフレーム分類器４４は、セル固有基準信号（ＣＲＳ）または改良型セル固有基準信号（ｅＣＲＳ）の存在にもとづいてオポチュニスティックサブフレームをさらに分類し得る。例えば、Ｄ−ＣＥＴの外側のＣＲＳまたはｅＣＲＳを有するサブフレームは、オポチュニスティックサブフレームと考えられ得る。ＣＲＳまたはｅＣＲＳを含まないサブフレームは、（例えば、スペクトルが利用可能でなかったために）使用されていないサブフレームであると考えられ得る。ＵＥ１２は、ＲＬＭ測定値を決定するときにＣＲＳまたはｅＣＲＳを含むサブフレームを考慮し得る。
【００４６】
[0053]値算出コンポーネント４６は、特定のサブフレームまたはサブフレームのサブセットについて取得された測定にもとづいて測定値を算出するためのハードウェア、ファームウェア、および／またはプロセッサ（例えば、プロセッサ１０３）によって実行されることができるソフトウェアコードを含み得る。一態様において、例えば、値算出コンポーネント４６は、ギャランティードサブフレームおよびオポチュニスティックサブフレームの両方にまたがって基準信号振幅測定をフィルタ処理することによって基準信号受信電力（ＲＳＲＰ）値を算出し得る。例えば、フィルタ処理は、ギャランティードサブフレームおよびオポチュニスティックサブフレームの両方において基準信号振幅測定を測定することを含み得る。一態様においては、重みまたは忘却因子が、最近のサブフレームをより強調するために適用され得る。別の態様において、例えば、値算出コンポーネント４６は、サブフレームのサブセットにもとづいて別々の受信信号強度インジケータ（ＲＳＳＩ）値を決定し得る。例えば、第１のＲＳＳＩ値、すなわちＲＳＳＩＯＰＰが、オポチュニスティックサブフレームにおける受信信号振幅測定にもとづき得る。第２のＲＳＳＩ値、すなわちＲＳＳＩＣＥＴが、ギャランティードサブフレームにおける受信信号振幅測定にもとづき得る。一態様において、値算出コンポーネント４６は、サブフレームのサブセットにもとづいて別々の基準信号受信品質（ＲＳＲＱ）値を算出し得る。例えば、値算出コンポーネント４６は、第１のＲＳＲＱ値、すなわちＲＳＲＱＯＰＰを、使用されたリソースブロックの数（Ｎ）、ＲＳＲＰ値、およびＲＳＳＩＯＰＰ値にもとづいて算出し得る。例えば、ＲＳＲＱＯＰＰは、（Ｎ＊ＲＳＲＰ）／ＲＳＳＩＯＰＰであり得る。値算出コンポーネント４６は、第２のＲＳＲＱ値、すなわちＲＳＲＱＣＥＴを、使用されたリソースブロックの数、ＲＳＲＰ値、およびＲＳＳＩＣＥＴ値にもとづいて算出し得る。例えば、ＲＳＲＱＣＥＴは、（Ｎ＊ＲＳＲＰ）／ＲＳＳＩＣＥＴであり得る。
【００４７】
[0054]また、値算出コンポーネント４６は、サブフレームのサブセットにもとづいて別々の信号対干渉雑音比（ＳＩＮＲ）の値を算出し得る。一態様において、例えば、値算出コンポーネント４６は、オポチュニスティック送信を含むサブフレームのサブセットについて第１のＳＩＮＲ値ＳＩＮＲＯＰＰを算出し得る。ＳＩＮＲ値は、ＣＲＳまたはｅＣＲＳの測定にもとづき得る。一態様において、値算出コンポーネント４６は、正確なＳＩＮＲＯＰＰ値を算出することが不可能であり得る。例えば、ｅＮｏｄｅＢ１４は、オポチュニスティックサブフレームにおいてＣＲＳまたはｅＣＲＳを送信することが不可能であり得る。したがって、ＣＲＳ測定は、オポチュニスティックサブフレームにおいては利用不可能であり得る。また、ＳＩＮＲＯＰＰ値は、信頼できない値が不充分な測定にもとづいて生み出される場合にも利用不可能であると考えられ得る。例えば、ＳＩＮＲＯＰＰ値は、ＵＥ１２がＣＲＳまたはｅＣＲＳを含んでいるしきい値数のサブフレームを受信しない場合に、信頼できないと考えられ得る。値算出コンポーネント４６は、ＳＩＮＲＯＰＰ値が利用可能であるかどうかを示し得る。別の例として、値算出コンポーネント４６は、ギャランティードサブフレームに関するＣＲＳ測定にもとづいて第２のＳＩＮＲ値ＳＩＮＲＣＥＴを算出し得る。
【００４８】
[0055]ＲＲＭコンポーネント４８は、ＲＲＭ測定値を評価するためのハードウェア、ファームウェア、および／またはプロセッサ（例えば、プロセッサ１０３）によって実行されることができるソフトウェアコードを含み得る。一態様において、ＲＲＭコンポーネント４８は、セル変更イベントなどの特定のタイプのイベントを監視するようにｅＮｏｄｅＢによって構成され得る。例えば、ＲＲＭコンポーネント４８は、ｅＮｏｄｅＢ１４のＲＲＭ測定を、しきい値または他の基地局２０についてのＲＲＭ測定と比較し得る。一態様において、ｅＮｏｄｅＢ１４は、どの測定値を比較するかを設定し得る。例えば、ＲＲＭコンポーネント４８は、ＲＳＲＱＯＰＰをしきい値と比較するように構成され得る。ＲＳＲＱＯＰＰは、例えば、ただ１つのセルだけが含まれ得るイベントＡ１、Ａ２、またはＡ４について比較され得る。一態様において、ＲＳＲＱＯＰＰ値は、オポチュニスティック送信の際の実際の条件についてより現実的な測定を提供し得る。別の例として、ＲＲＭコンポーネント４８は、ｅＮｏｄｅＢ１４について測定されたＲＳＲＱＣＥＴ値を他のｅＮｏｄｅＢについて決定されたＲＳＲＱＣＥＴ値と比較するように構成され得る。例えば、ＲＳＲＱＣＥＴは、例えば、サービングセルがネイバーセルと比較されるイベントＡ３またはＡ５について比較され得る。一態様において、ＲＳＲＱＣＥＴは、ＲＳＲＱＣＥＴが干渉を考慮し得るがゆえに、ｅＮｏｄｅＢの比較にとってより好適であり得る。ＲＲＭコンポーネント４８が設定されたイベントを検出したとき、ＲＲＭコンポーネント４８は、送信コンポーネント６０を使用して測定報告を送信し得る。一態様において、例えば、測定報告は、ハンドオーバまたはセル再選択などのセル変更をトリガし得る。
【００４９】
[0056]無線リンク監視コンポーネント５０は、ｅＮｏｄｅＢ１４とＵＥ１２との間の無線リンクを監視するためのハードウェア、ファームウェア、および／またはプロセッサ（例えば、プロセッサ１０３）によって実行されることができるソフトウェアコードを含み得る。一態様において、無線リンク監視コンポーネント５０は、受信したＲＦ信号の復調および復号を行うように構成された受信機を含み得、あるいはこのような受信機によって実現され得る。例えば、無線リンク監視コンポーネント５０は、ｅＮｏｄｅＢ１４によって送信されたシステム情報ブロック（ＳＩＢ）の復調および復号を行い得る。一態様において、ｅＮｏｄｅＢ１４は、８０ミリ秒（ｍｓ）ごとにＳＩＢを送信し得る。無線リンク監視コンポーネント５０は、各々のＳＩＢの復号が成功したかどうかを決定するようにさらに構成され得る。一態様において、無線リンク監視コンポーネント５０は、ＳＩＢ成功カウンタ（SIB success counter）５２およびＳＩＢ失敗カウンタ（SIB failure counter）５４を含み得る。ＳＩＢ成功カウンタ５２は、成功したＳＩＢ復号の総数を維持するように構成されたメモリ（例えば、ＲＡＭ）を含み得る。例えば、ＳＩＢ成功カウンタ５２は、連続して成功したＳＩＢ復号の回数または或る期間における成功したＳＩＢ復号の回数を示し得る。反対に、ＳＩＢ失敗カウンタ５４は、連続する不成功または失敗のＳＩＢ復号の回数、あるいは或る期間における不成功のＳＩＢ復号の回数を示すように構成されたメモリ（例えば、ＲＡＭ）を含み得る。
【００５０】
[0057]無線リンク監視コンポーネント５０は、ＳＩＮＲ値、ＳＩＢ成功カウンタ５２、および／またはＳＩＢ失敗カウンタ５４にもとづいてワイヤレスデバイスの無線リンク状態を監視するようにさらに構成され得る。一態様において、ワイヤレスデバイスの無線リンク状態を監視することは、ＵＥ１２がｅＮｏｄｅＢ１４と同期しているかどうかを決定することを含む。一態様において、例えば、ＳＩＮＲＯＰＰ値が利用可能であるとき、無線リンク監視コンポーネント５０は、ＳＩＮＲＯＰＰ値をしきい値と比較することによってＵＥ１２がｅＮｏｄｅＢ１４と同期しているかどうかを決定し得る。しきい値は、ｅＮｏｄｅＢ１４によって設定可能であり得る。別の態様において、ＳＩＮＲＯＰＰが利用可能でない場合、無線リンク監視コンポーネント５０は、ＳＩＮＲＣＥＴ値が第１のしきい値を超え、あるいはＳＩＢ成功カウンタ５２の値が第２のしきい値を超える場合に、ＵＥ１２が同期していると決定し得る。反対に、ＳＩＮＲＯＰＰが利用可能でない場合に、無線リンク監視コンポーネント５０は、ＳＩＮＲＣＥＴ値が第１のしきい値よりも小さく、かつＳＩＢ失敗カウンタ５４の値が第２のしきい値を超える場合に、ＵＥ１２が同期していないと決定し得る。第１のしきい値および第２のしきい値は、ｅＮｏｄｅＢ１４によって設定され得る。一態様において、無線リンク監視コンポーネント５０は、ＵＥ１２がｅＮｏｄｅＢ１４と同期していない場合に、無線リンク不具合（ＲＬＦ）が生じたと決定し得る。
【００５１】
[0058]送信コンポーネント６０は、アップリンク送信を実行するためのハードウェア、ファームウェア、および／またはプロセッサ（例えば、プロセッサ１０３）によって実行されることができるソフトウェアコードを含み得る。一態様において、例えば、送信コンポーネント６０は、送信機（例えば、送信機３４）を含み得、あるいは送信機を制御し得る。送信コンポーネント６０は、クリアチャネルアセスメント（ＣＣＡ）コンポーネント６２、ＣＣＡタイマ６４、および無線リンク制御（ＲＬＣ）タイマ６６を含み得る。
【００５２】
[0059]一態様において、ＣＣＡコンポーネント６２は、チャネルが送信に利用可能であるかどうかを決定するように構成されたハードウェア、ファームウェア、および／またはプロセッサ（例えば、プロセッサ１０３）によって実行されることができるソフトウェアコードを含み得る。一態様において、ＣＣＡコンポーネント６２は、測定コンポーネント４２によってもたらされる測定を使用して、チャネルにおける受信信号エネルギーを決定し得る。別の態様において、ＣＣＡコンポーネント６２は、チャネルにおける受信信号エネルギーを測定するように構成された受信機（図示されていない）を含み得る。ＣＣＡコンポーネント６２は、信号エネルギーがしきい値を下回るとき、チャネルが空いていると決定し得る。一態様において、ＣＣＡコンポーネント６２は、規制または規格に従ってチャネルが利用可能であるかどうかを決定し得る。例えば、ＥＮ  ３０１．８９３が、ＬＢＴプロシージャを定め得る。ＩＥＥＥ  ８０２．１１および８０２．１５規格が、ＣＣＡプロシージャを定め得る。一般に、ＣＣＡプロシージャは、例えば２０マイクロ秒（μｓ）のＣＣＡ期間または時間スロットについてのチャネルの監視を含み得る。時間スロットがクリアである（例えば、通信媒体が利用可能またはアクセス可能である（信号エネルギーがしきい値を下回る））場合、デバイスは、チャネルの使用を開始し得る。チャネルがクリアでない場合、デバイスは、チャネルについてランダムバックオフカウンタを決定し得る。デバイスがクリアのタイムスロットを検出するたびに、ランダムバックオフカウンタがデクリメントされ得る。一態様において、ＵＥ１２は、アップリンク送信プロシージャの前にクリアチャネルアセスメントを実行し得る。一態様において、アップリンク送信プロシージャは、ランダム・アクセス・チャネル（ＲＡＣＨ）プロシージャを含み得る。ＣＣＡコンポーネント６２は、ＲＡＣＨプロシージャの前にＣＣＡプロシージャを実行し得る。一態様において、アップリンク送信プロシージャは、サブフレームにおけるスケジュールされたアップリンク送信を含み得る。ＣＣＡコンポーネント６２は、スケジュールされたアップリンクサブフレームの前にＣＣＡプロシージャを実行し得る。一態様において、ＵＥ１２は、後続の連続するサブフレームにおいて送信を続け得る。ＵＥ１１０がサブフレームにおいて送信を行うようにスケジュールされていない場合、ＣＣＡコンポーネント６２は、次のスケジュールされたアップリンクサブフレームの前に再びＣＣＡプロシージャを実行し得る。一態様において、ＣＣＡプロシージャは、時間期間内に完了しないことがある。例えば、別のワイヤレスデバイスが、チャネルにおいて送信を行っているかもしれず、ＵＥ１２が、チャネルにアクセスできないかもしれない。一態様において、アップリンクＣＣＡ免除送信（Ｕ−ＣＥＴ）が、ＵＥ１２によるＣＣＡプロシージャの実行を必要としない送信として定められ得る。Ｄ−ＣＥＴと同様に、Ｕ−ＣＥＴは、サブフレームの特定の割合に限定され得、あるいはＵ−ＣＥＴサブフレーム間の最小時間に限定され得る。一態様において、Ｕ−ＣＥＴサブフレームのタイミングは、Ｄ−ＣＥＴサブフレームのタイミングにもとづき得る。
【００５３】
[0060]ＣＣＡタイマ６４は、ＣＣＡプロシージャに使用される時間を測定するように構成され得る。ＣＣＡタイマ６４は、ＣＣＡプロシージャの最大時間によって設定され得る。一態様において、ＣＣＡタイマ６４は、ＣＣＡプロシージャが特定の送信に関してメディアアクセス（ＭＡＣ）層によって開始されたときに開始され得る。一態様において、ＣＣＡタイマ６４は、タイミングアドバンス（timing advance）、ＵＥ１２を識別するランダム・アクセス・メッセージ１、スケジューリング要求、またはバッファ状態報告などのＲＡＣＨ送信に使用され得る。アンライセンススペクトルにおける動作時に、ＵＥ１２は、ＣＣＡプロシージャに起因して速やかにＲＡＣＨ送信を実行することが不可能であり得る。したがって、ＲＡＣＨ送信の数は、無線リンク品質を表さないことがある。ＣＣＡタイマ６４が、ＲＡＣＨ送信が成功したかどうかを決定するために使用され得る。別の態様において、ＣＣＡタイマ６４は、アップリンクサブフレームにおけるスケジュールされた送信のためにも開始され得る。ＣＣＡタイマが設定された時間を超える場合、送信コンポーネント６０は、ＵＥ１２が送信を行うことができないため、ＲＬＦ宣言し得る。
【００５４】
[0061]ＲＬＣタイマ６６は、ＲＬＣ層における送信に使用される時間を測定するように構成され得る。一態様において、ＲＬＣプロトコルは、プロトコル・データ・ユニット（ＰＤＵ）が成功裏に送信されたかどうかを決定するために、確認応答モードを使用し得る。送信コンポーネントは、ＲＬＣ  ＰＤＵを生成し、ＲＬＣ  ＰＤＵが下位の層へと送信されるときにＲＬＣタイマ６６を開始し得る。ＲＬＣ層がＲＬＣ  ＰＤＵについての確認応答を受信しない場合、送信コンポーネント６０は、ＲＬＣ  ＰＤＵを再送信し得る。物理（ＰＨＹ）層におけるＣＣＡプロシージャゆえに、アンライセンススペクトルにおけるＲＬＣ再送信は、固定されたラウンドトリップタイムを有さないかもしれず、したがって再送信の回数は、無線リンク品質を表さないかもしれない。例えば、ＲＬＣ層は、ＰＤＵを１回だけ送信し得るが、チャネルの使用ゆえに再送信を実行できないかもしれない。したがって、たとえチャネルの状態が良好でなくても、ＰＤＵは、再送信を有し得ない。ＲＬＣタイマ６６は、ＲＬＣ送信のための最大時間によって設定され得る。例えば、ＲＬＣタイマ６６は、ＲＬＣ  ＰＤＵが送信されるたびに開始され得る。一態様において、送信コンポーネント６０は、ＰＤＵのＲＬＣ再送信の最大数の後、またはＰＤＵについてのＲＬＣタイマ６６が最大時間を超えるときに、ＲＬＦを宣言し得る。
【００５５】
[0062]さらに、一態様において、ＵＥ１２は、例えばｅＮｏｄｅＢ１４または基地局２０によって送信される通信２６などの無線送信の受信および送信のためのＲＦフロントエンド１０４およびトランシーバ１０６を含み得る。例えば、トランシーバ１０６は、ｅＮｏｄｅＢ１４からの通信２６および基地局２０からの信号２８など、各々のネットワークエンティティからの基準信号（例えば、ＣＲＳ）を含む信号を受信し得、それは、この例においては組み合わさって受信信号３１を形成する。トランシーバ１０６は、信号品質を決定し、ｅＮｏｄｅＢ１４へとフィードバックをもたらすために、受信した基準信号を測定し得る。例えば、トランシーバ１０６は、モデムコンポーネント４０によって生成されたメッセージ（例えば、ＲＲＭ測定にもとづく無線リソース制御メッセージ）の送信、ならびにメッセージ（例えば、無線リソース制御コマンド）の受信およびモデムコンポーネント４０への転送のために、モデム１０８と通信し得る。
【００５６】
[0063]ＲＦフロントエンド１０４は、１つまたは複数のアンテナ１０２へと接続され得、ＲＦ信号の送信および受信のために１つまたは複数の低ノイズ増幅器（ＬＮＡ）１４１、１つまたは複数のスイッチ１４２、１４３、１つまたは複数の電力増幅器（ＰＡ）１４５、および１つまたは複数のフィルタ１４４を含むことができる。一態様において、ＲＦフロントエンド１０４のコンポーネントは、トランシーバ１０６に接続することができる。トランシーバ１０６は、１つまたは複数のモデム１０８およびプロセッサ１０３に接続することができる。
【００５７】
[0064]一態様において、ＬＮＡ１４１は、受信信号を所望の出力レベルに増幅できる。一態様において、各々のＬＮＡ１４１は、所定の最小および最大ゲイン値を有し得る。一態様において、ＲＦフロントエンド１０４は、特定の用途のための所望のゲイン値にもとづいて特定のＬＮＡ１４１およびこれの所定のゲイン値を選択するために、１つまたは複数のスイッチ１４２、１４３を使用し得る。一態様において、ＲＦフロントエンド１０４は、測定（例えば、Ｅｃ／Ｉｏ）および／または適用されたゲイン値をモデムコンポーネント４０へと提供し得る。
【００５８】
[0065]さらに、例えば、１つまたは複数のＰＡ１４５が、所望の出力電力レベルにおけるＲＦ出力のために信号を増幅するためにＲＦフロントエンド１０４によって使用され得る。一態様において、各々のＰＡ１４５は、所定の最小および最大ゲイン値を有し得る。一態様において、ＲＦフロントエンド１０４は、特定の用途のための所望のゲイン値にもとづいて特定のＰＡ１４５およびこれの所定のゲイン値を選択するために、１つまたは複数のスイッチ１４３、１４６を使用し得る。
【００５９】
[0066]また、例えば、１つまたは複数のフィルタ１４４が、受信信号をフィルタ処理して入力ＲＦ信号を得るためにＲＦフロントエンド１０４によって使用されることができる。同様に、一態様において、例えば、それぞれのフィルタ１４４が、それぞれのＰＡ１４５からの出力をフィルタ処理して送信のための出力信号を生み出すために使用されることができる。一態様において、各々のフィルタ１４４は、特定のＬＮＡ１４１および／またはＰＡ１４５へと接続されることができる。一態様において、ＲＦフロントエンド１０４は、トランシーバ１０６および／またはプロセッサ１０３によって指定されるとおりの設定にもとづいて特定のフィルタ１４４、ＬＮＡ１４１、および／またはＰＡ１４５を使用する送信または受信経路を選択するために、１つ以上のスイッチ１４２、１４３、１４６を使用することができる。
【００６０】
[0067]トランシーバ１０６は、ＲＦフロントエンド１０４を介してアンテナ１０２を通じてワイヤレス信号を送信および受信するように構成され得る。一態様において、トランシーバは、ＵＥ１２が例えばｅＮｏｄｅＢ１４または基地局２０と通信できるように所定の周波数で動作するように調整され得る。一態様においては、例えば、モデム１０８が、ＵＥ１２のＵＥ設定およびモデム１０８によって使用されるプロトコルにもとづいて所定の周波数および出力レベルで動作するようにトランシーバ１０６を設定することができる。
【００６１】
[0068]一態様において、モデム１０８は、マルチバンド−マルチモードモデムであることができ、マルチバンド−マルチモードモデムは、デジタルデータがトランシーバ１０６を使用して送信および受信されるように、デジタルデータの処理およびトランシーバ１０６との通信を行うことができる。一態様において、モデム１０８は、マルチバンドであることができ、特定の通信プロトコルのためにマルチプルな周波数帯をサポートするように構成されることができる。一態様において、モデム１０８は、マルチモードであることができ、マルチプルな動作ネットワークおよび通信プロトコルをサポートするように構成されることができる。一態様において、モデム１０８は、所定のモデム設定にもとづいてネットワークからの信号の送信および／または受信を可能にするためにＵＥ１２の１つまたは複数のコンポーネント（例えば、ＲＦフロントエンド１０４、トランシーバ１０６）を制御することができる。一態様において、モデム設定は、モデムのモードおよび使用中の周波数にもとづくことができる。別の態様において、モデム設定は、セル選択および／またはセル再選択の際にネットワークによってもたらされるＵＥ１２に関するＵＥ設定情報にもとづくことができる。
【００６２】
[0069]ＵＥ１２は、本明細書において使用されるデータおよび／またはアプリケーションのローカルバージョンあるいはモデムコンポーネント４０および／またはプロセッサ１０３によって実行されるモデムコンポーネント４０の下位コンポーネントのうちの１つまたは複数の保存などのためのメモリ１３０をさらに含み得る。メモリ１３０は、ランダム・アクセス・メモリ（ＲＡＭ）、読み出し専用メモリ（ＲＯＭ）、テープ、磁気ディスク、光ディスク、揮発メモリ、不揮発メモリ、およびこれらの任意の組み合わせなど、コンピュータまたはプロセッサ１０３による使用が可能なコンピュータ読み取り可能な任意のタイプの媒体を含むことができる。一態様において、例えば、メモリ１３０は、ＵＥ１２がモデムコンポーネント４０および／またはこれの下位コンポーネントのうちの１つまたは複数を実行するようにプロセッサ１０３を動作させる場合に、モデムコンポーネント４０および／またはこれの下位コンポーネントのうちの１つまたは複数を定める１つまたは複数のコンピュータにおいて実行可能なコード、ならびに／あるいはそれに関連するデータを保存するコンピュータ読み取り可能な記憶媒体であり得る。別の態様において、例えば、メモリ１３０は、非一時的なコンピュータ読み取り可能な記憶媒体であり得る。
【００６３】
[0070]図２〜図５が、例えばＵＥ１２（図１）などのＵＥによって実行され得る例示的な方法のフロー図を示している。説明を簡単にする目的で、方法が一連の動作として図示および説明されるが、それらの方法（および、それらに関連するさらなる方法）が、１つまたは複数の態様によれば一部の動作がここに図示および説明される順序とは異なる順序で生じてもよく、さらには／あるいは他の動作と同時に生じてもよいがゆえに、動作の順序によって限定されることがないことを、理解および認識すべきである。例えば、別の方法として、一方法が、状態図などにおいて、一連の相互に関係した状態または事象として表され得ることを、理解すべきである。さらに、必ずしも説明されるすべての動作が本明細書に記載の１つまたは複数の特徴による方法の実施に必要というわけではないかもしれない。
【００６４】
[0071]図２を参照すると、動作の一態様において、ＵＥ１２（図１）などのＵＥが、ワイヤレス通信の方法２００の一態様を実行し得る。
【００６５】
[0072]ブロック２１０において、方法２００は、マルチプルなサブフレームにまたがってアンライセンススペクトルを通じて受信された信号に対し、セルのＲＲＭ測定を実行することを含み得る。一態様においては、例えば、測定コンポーネント４２が、マルチプルなサブフレームにまたがってアンライセンススペクトルを通じて受信された信号に対し、セルのＲＲＭ測定を実行し得る。一態様において、ＲＲＭ測定を実行することは、サブフレームの第１のサブセットおよびサブフレームの第２のサブセットについて基準信号受信電力（ＲＳＲＰ）を測定することを含み得る。一態様において、ＲＲＭ測定の実行は、サブフレームの第１のサブセットについての第１の受信信号強度インジケータ（ＲＳＳＩ）およびサブフレームの第２のサブセットについての第２のＲＳＳＩを測定することを含み得る。
【００６６】
[0073]ブロック２２０において、方法２００は、オポチュニスティック送信を含むサブフレームの第１のサブセットに関連するＲＲＭ測定の第１のサブセット、およびギャランティード送信を含むサブフレームの第２のサブセットに関連するＲＲＭ測定の第２のサブセット、の一方または両方を識別することを含み得る。一態様においては、例えば、サブフレーム分類器４４が、オポチュニスティック送信を含むサブフレームの第１のサブセットに関連するＲＲＭ測定の第１のサブセットおよびギャランティード送信を含むサブフレームの第２のサブセットに関連するＲＲＭ測定の第２のサブセットを識別し得る。
【００６７】
[0074]ブロック２３０において、方法２００は、ＲＲＭ測定の第１のサブセットおよびＲＲＭ測定の第２のサブセットの一方または両方にもとづいて１つまたは複数のＲＲＭ測定値を決定することを含み得る。一態様においては、例えば、値算出コンポーネント４６が、ＲＲＭ測定の第１のサブセットおよびＲＲＭ測定の第２のサブセットの一方または両方にもとづいて１つまたは複数のＲＲＭ測定値を決定し得る。一態様において、１つまたは複数のＲＲＭ測定値を決定することは、サブフレームの第１のセットに関連するＲＳＲＰ測定およびサブフレームの第２のセットに関連するＲＳＲＰ測定を単一のＲＳＲＰ値へと結合することを含み得る。例えば、値算出コンポーネント４６が、サブフレームの第１のセットに関連するＲＳＲＰ測定およびサブフレームの第２のセットに関連するＲＳＲＰ測定の重み付き平均を算出することによって、ＲＳＲＰ測定を組み合わせ得る。重みは、各々のセットにおけるサブフレームの数にもとづき得る。一態様において、１つまたは複数のＲＲＭ測定値を決定することは、第１のＲＳＳＩ測定にもとづいてサブフレームの第１のセットについて第１の基準信号受信品質（ＲＳＲＱ）値を決定し、第２のＲＳＳＩ測定にもとづいてサブフレームの第２のセットについて第２のＲＳＲＱ値を決定することを含み得る。
【００６８】
[0075]ブロック２４０において、方法２００は、１つまたは複数のＲＲＭ測定値をしきい値または他のセルのＲＲＭ測定値と比較して、ＲＲＭイベントを検出することを、オプションにより含み得る。一態様においては、例えば、ＲＲＭコンポーネント４８が、１つまたは複数のＲＲＭ測定値をしきい値または他のセルのＲＲＭ測定値と比較して、ＲＲＭイベントを検出し得る。一態様において、ＲＲＭコンポーネント４８は、第１のＲＳＲＱ値をしきい値と比較し得る。別の態様において、ＲＲＭコンポーネント４８は、第２のＲＳＲＱ値を異なるセルについての基準信号の受信信号品質と比較し得る。一態様においは、ｅＮｏｄｅＢ１４が、どのＲＲＭ測定値を比較するかを知らせ得る。
【００６９】
[0076]ブロック２５０において、方法２００は、セルへと１つまたは複数のＲＲＭ測定値の状態を報告することを、オプションにより含み得る。一態様においては、例えば、送信コンポーネント６０が、セルへと１つまたは複数のＲＲＭ測定値の状態を報告し得る。例えば、送信コンポーネント６０は、ＲＲＭ測定値またはＲＲＭ測定値によって検出されたイベントを示す測定報告を送信し得る。
【００７０】
[0077]図３を参照すると、動作の一態様において、ＵＥ１２（図１）などのＵＥが、ワイヤレス通信の方法３００の一態様を実行し得る。
【００７１】
[0078]ブロック３１０において、方法３００は、アンライセンススペクトルを通じて受信されたマルチプルなサブフレームにまたがって、セルからの受信したセル固有基準信号（ＣＲＳ）を測定して、ＣＲＳ測定を取得することを含み得る。一態様においては、例えば、測定コンポーネント４２が、アンライセンススペクトルを通じて受信されたマルチプルなサブフレームにまたがって、ｅＮｏｄｅＢ１４によって提供されるセルからの受信したＣＲＳを測定して、ＣＲＳ測定を取得し得る。
【００７２】
[0079]ブロック３２０において、方法３００は、オポチュニスティック送信を含むサブフレームの第１のサブセットに関連するＣＲＳ測定の第１のサブセット、およびギャランティード送信を含むサブフレームの第２のサブセットに関連するＣＲＳ測定の第２のサブセット、の一方または両方を識別することを含み得る。一態様においては、例えば、サブフレーム分類器４４が、オポチュニスティック送信を含むサブフレームの第１のサブセットに関連するＣＲＳ測定の第１のサブセットおよびギャランティード送信を含むサブフレームの第２のサブセットに関連するＣＲＳ測定の第２のサブセットを識別し得る。
【００７３】
[0080]ブロック３３０において、方法３００は、ＣＲＳ測定の第１のサブセットについての第１の信号対干渉雑音比（ＳＩＮＲ）値およびＣＲＳ測定の第２のサブセットについての第２のＳＩＮＲ値の一方または両方を算出することを含み得る。一態様においては、例えば、値算出コンポーネント４６が、ＣＲＳ測定の第１のサブセットについての第１のＳＩＮＲ値および／またはＣＲＳ測定の第２のサブセットについての第２のＳＩＮＲ値を算出し得る。例えば、値算出コンポーネント４６は、ＣＲＳ測定の第１のセットについてＳＩＮＲＯＰＰを算出し得、かつ／またはＣＲＳ測定の第２のサブセットについてＳＩＮＲＣＥＴを算出し得る。
【００７４】
[0081]ブロック３４０において、方法３００は、セルによってブロードキャストされた複数のＳＩＢの各々について、それぞれのＳＩＢの復号が成功であったかどうかを示す復号状態を決定することを、オプションにより含み得る。一態様においては、例えば、無線リンク監視コンポーネント５０が、セルによってブロードキャストされた複数のＳＩＢの復号を行い、各々のＳＩＢについて、それぞれのＳＩＢの復号が成功であったかどうかを示す復号状態を決定し、復号不成功の状態（unsuccessful decoding status）を有するＳＩＢの復号の第１のカウンタ（例えば、ＳＩＢ失敗カウンタ５４）および復号成功の状態（successful decoding status）を有するＳＩＢの復号の第２のカウンタ（例えば、ＳＩＢ成功カウンタ５２）を維持し得る。
【００７５】
[0082]ブロック３５０において、方法３００は、ＣＲＳ測定の第１のサブセットについて算出された第１のＳＩＮＲ値またはＣＲＳ測定の第２のサブセットについて算出された第２のＳＩＮＲ値に少なくとも部分的にもとづいて、ワイヤレスデバイスの無線リンク状態を監視することを含み得る。一態様においては、例えば、無線リンク監視コンポーネント５０が、ＣＲＳ測定の第１のサブセットについて算出された第１のＳＩＮＲ値またはＣＲＳ測定の第２のサブセットについて算出された第２のＳＩＮＲ値に少なくとも部分的にもとづいて、ワイヤレスデバイスの無線リンク状態を監視し得る。一態様において、ワイヤレスデバイスの無線リンク状態を監視することは、ワイヤレスデバイスがセルと同期しているかどうかを決定することを含み得る。一態様において、ワイヤレスデバイスの無線リンク状態を監視することは、第１のＳＩＮＲ値が利用可能であると決定すること、および第１のＳＩＮＲ値にもとづいてワイヤレスがセルと同期しているかどうかを決定することを含み得る。例えば、無線リンク監視コンポーネント５０は、第１のＳＩＮＲ値が利用可能でありかつしきい値を超える場合に、ワイヤレスデバイスが同期していると決定し得、第１のＳＩＮＲ値が利用可能でありかつしきい値未満である場合に、ワイヤレスデバイスが同期していないと決定し得る。別の態様において、ワイヤレスデバイスの無線リンク状態を監視することは、第１のＳＩＮＲ値が現時点において利用可能でないと決定すること、および第２のＳＩＮＲ値がワイヤレスデバイスがセルと同期していない旨を示しており、かつ第１のカウンタが不成功な復号のしきい値数を超える場合に、ワイヤレスデバイスがセルと同期していないと決定することを含み得る。別の態様において、ワイヤレスデバイスの無線リンク状態を監視することは、第１のＳＩＮＲ値が現時点において利用可能でないと決定すること、および第２のＳＩＮＲ値がワイヤレスデバイスがセルと同期している旨を示しており、あるいは第２のカウンタが成功の復号のしきい値数を超える場合に、ワイヤレスデバイスがセルと同期していると決定することを含み得る。
【００７６】
[0083]ブロック３６０において、方法３００は、ワイヤレスデバイスの無線リンク状態を監視することがワイヤレスデバイスがセルと同期していない旨を示すときに、無線リンク不具合を宣言することを、オプションにより含み得る。一態様においては、例えば、無線リンク監視コンポーネント５０は、ワイヤレスデバイスの無線リンク状態を監視することがワイヤレスデバイスがセルと同期していない旨を示すときに、無線リンク不具合を宣言し得る。一態様において、ＵＥ１２は、セルへの再接続の試行およびＲＬＦの報告を行い得る。
【００７７】
[0084]図４を参照すると、動作の一態様において、ＵＥ１２（図１）などのＵＥが、ワイヤレス通信の方法４００の一態様を実行し得る。
【００７８】
[0085]ブロック４１０において、方法４００は、或る送信時間においてアップリンク送信プロシージャをトリガすることを含み得る。一態様においては、例えば、送信コンポーネント６０が、送信時間においてアップリンク送信プロシージャをトリガし得る。アップリンク送信プロシージャは、ランダム・アクセス・プロシージャまたはアップリンクデータ送信プロシージャであり得る。送信時間は、送信コンポーネント６０が最初に送信をトリガする時間であり得る。
【００７９】
[0086]ブロック４２０において、方法４００は、送信時間においてタイマを開始させることを含み得る。一態様においては、例えば、ＣＣＡタイマ６４が、送信時間において開始し得る。
【００８０】
[0087]ブロック４３０において、方法４００は、アップリンク送信を開始する前に、アップリンク送信のためにアンライセンススペクトルを通じて伝送媒体にアクセスするために、１つまたは複数のクリアチャネルアセスメントを実行することを含み得る。一態様においては、例えば、ＣＣＡコンポーネント６２が、アップリンク送信を開始する前に、アップリンク送信のためにアンライセンススペクトルを通じて伝送媒体にアクセスするために、１つまたは複数のクリアチャネルアセスメントを実行し得る。
【００８１】
[0088]ブロック４４０において、方法４００は、アップリンク送信を送信する前にタイマが満了するときに、ワイヤレスデバイスに関してＲＬＦを識別することを含み得る。一態様においては、例えば、送信コンポーネント６０が、アップリンク送信を送信する前にタイマが満了するときに、ワイヤレスデバイスに関してＲＬＦを識別し得る。一態様において、ＵＥ１２は、セルへの再接続の試行およびＲＬＦの報告を行い得る。
【００８２】
[0089]図５を参照すると、動作の一態様において、ＵＥ１２（図１）などのＵＥが、ワイヤレス通信の方法５００の一態様を実行し得る。
【００８３】
[0090]ブロック５１０において、方法５００は、無線リンク制御（ＲＬＣ）プロトコル・データ・ユニット（ＰＤＵ）を生成することを含み得る。一態様においては、送信コンポーネント６０が、無線リンク制御（ＲＬＣ）プロトコル・データ・ユニット（ＰＤＵ）を生成し得る。
【００８４】
[0091]ブロック５２０において、方法５００は、アンライセンススペクトルを通じてＲＬＣ  ＰＤＵを最初に送信するときにタイマを開始させることを含み得る。一態様においては、例えば、ＲＬＣタイマ６６が、アンライセンススペクトルにおけるＲＬＣ  ＰＤＵの最初の送信時に開始させられ得る。一態様において、タイマの時間は、ＲＬＣ  ＰＤＵに関する無線ベアラにもとづいて設定され得る。
【００８５】
[0092]ブロック５３０において、方法５００は、ＲＬＣ  ＰＤＵについての確認応答を受信する前にタイマが満了するとき、またはＲＬＣ  ＰＤＵについて最大数のＲＬＣ再送信が生じるときに、ＲＬＦを識別することを含み得る。一態様においては、例えば、送信コンポーネント６０が、ＲＬＣ  ＰＤＵについての確認応答を受信する前にタイマが満了するとき、またはＲＬＣ  ＰＤＵについて最大数のＲＬＣ再送信が生じるときに、ＲＬＦを識別し得る。一態様において、ＵＥ１２は、セルへの再接続の試行および無線リンク不具合の報告を行い得る。
【００８６】
[0093]図６は、本開示の一態様による遠隔通信システムにおけるフレーム構造６００の例を概念的に示すブロック図である。ダウンリンクのための送信タイムラインは、一連の無線フレーム６０２へと分割され得る。各々の無線フレーム６０２は、所定の持続時間（例えば、１０ミリ秒（ｍｓ）、４ｍｓ、または２ｍｓ）を有し得、例えば０〜９の添え字を有する１０個のサブフレーム６２０へと分割され得る。
【００８７】
[0094]第１のＤ−ＣＥＴ送信６３０は、無線フレーム６１０のうちの１つの間に生じ得る。一態様においては、図示のとおり、Ｄ−ＣＥＴ送信が、１つまたは複数のサブフレーム６２０を使用し得る。Ｄ−ＣＥＴ送信６３０に続き、同じ無線フレームの後のサブフレームまたは別の無線フレームにおけるＵ−ＣＥＴ送信６３２が生じ得る。第２のＤ−ＣＥＴ送信６３４が、後の無線フレーム６１０において生じ得る。一態様において、第２のＤ−ＣＥＴ送信６３４は、例えばＤ−ＣＥＴ送信６３０の８０ｍｓ後にスケジュールされ得る。第２のＵ−ＣＥＴ送信６３６が、第２のＤ−ＣＥＴ送信６３４の後に生じ得る。時分割複信（ＴＤＤ）を使用する態様において、Ｕ−ＣＥＴ送信６３２、６３４は、ダウンリンク送信と同じキャリアを使用して二重化（duplexed）され得る。周波数分割複信（ＦＤＤ）を使用する態様において、Ｕ−ＣＥＴ送信６３２、６３４は、第２のキャリアにおいて送信され得、第２のキャリアは、ダウンリンクキャリアと同期され得る。Ｄ−ＣＥＴ送信に使用されるサブフレーム６２０は、ギャランティード送信に関係するサブフレームと考えられ得る。例えば、添え字０および１を有するサブフレームが、ギャランティード送信に関係し得る。残りのサブフレーム６２０は、オポチュニスティック送信に関係するサブフレームと考えられ得る。
【００８８】
[0095]一態様において、フレーム構造６００は、ｅＮｏｄｅＢ１４によって送信されるＳＩＢ６４０も含み得る。ＳＩＢ６４０は、タイミング情報、アクセスパラメータ、ＲＲＭ測定設定、ＲＬＭ測定設定、ネイバーリスト、など、ｅＮｏｄｅＢ１４についての情報を含み得る。一態様において、ＳＩＢ６４０は、定期的に送信され得る。一態様において、ＳＩＢ６４０は、８０ｍｓごとに送信され得る。ＳＩＢ６４０は、Ｄ−ＣＥＴ送信６３０において送信され得、あるいはオポチュニスティックサブフレームにおいて送信され得る。
【００８９】
[0096]図７は、ワイヤレス通信システム１０（図１）の種々の装置を使用するロング・ターム・エボリューション（ＬＴＥ）ネットワークアーキテクチャ７００を説明する図であり、モデムコンポーネント４０を有する１つまたは複数のＵＥ１２（図１）を含み得、ここでＵＥ１２は、例えばユーザ機器７０２に相当し得る。ＬＴＥネットワークアーキテクチャ７００は、エボルブド・パケット・システム（ＥＰＳ）７００と称され得る。ＥＰＳ７００は、１つまたは複数のユーザ機器（ＵＥ）７０２と、エボルブドＵＭＴＳ地上波無線アクセスネットワーク（Ｅ−ＵＴＲＡＮ）７０４と、エボルブド・パケット・コア（ＥＰＣ）７８０と、ホーム加入者サーバ（ＨＳＳ）７２０と、オペレータのＩＰサービス７２２とを含み得る。ＥＰＳは、他のアクセスネットワークとの相互接続が可能であるが、分かり易くするために、これらのエンティティ／インターフェイスは示されていない。図示のとおり、ＥＰＳはパケット交換サービスを提供するが、当業者であれば容易に理解できるとおり、本開示の全体において提示される種々の概念は、回路交換サービスを提供するネットワークにも拡張され得る。
【００９０】
[0097]Ｅ−ＵＴＲＡＮは、エボルブドノードＢ（ｅＮＢ）７０６および他のｅＮＢ７０８を含む。ｅＮＢ７０６および７０８は、それぞれｅＮｏｄｅＢ１４（図１）の例であり得る。ｅＮＢ７０６、７０８は、モデムコンポーネント４０を含むＵＥ７０２から送信される測定報告を受信し得る。ｅＮＢ７０６は、無線測定およびイベント報告を含む物理層プロシージャを実行するようにＵＥ７０２のモデムコンポーネント４０を設定し得る。一態様において、本開示によれば、ｅＮＢ７０６は、どの測定値を決定するか、およびどのイベントを報告するかを示し得る。例えば、ｅＮＢ７０６は、ＵＥ７０２がＲＳＲＱＯＰＰまたはＲＳＲＱＣＥＴを使用すべきかどうかを示し得る。ｅＮＢ７０６は、ＵＥ７０２へのユーザおよび制御プレーンプロトコル終端を提供する。ｅＮＢ７０８は、Ｘ２インターフェイス（すなわち、バックホール）を介して他のｅＮＢ７０８に接続され得る。ｅＮＢ７０６は、当業者によって、基地局、ベース・トランシーバ・ステーション、無線基地局、無線トランシーバ、トランシーバ機能、基本サービスセット（ＢＳＳ）、スモールセル、拡張サービスセット（ＥＳＳ）、または何らかの他の適切な用語でも呼ばれ得る。ｅＮＢ７０６は、ＵＥ７０２にＥＰＣ７８０へのアクセスポイントを提供する。
【００９１】
[0098]ｅＮＢ７０６は、Ｓ１インターフェイスによってＥＰＣ７８０に接続される。ＥＰＣ７８０は、モビリティ管理エンティティ（ＭＭＥ）７６２、他のＭＭＥ７６４、サービングゲートウェイ７６６、およびパケット・データ・ネットワーク（ＰＤＮ）ゲートウェイ７６８を含む。ＭＭＥ７６２は、ＵＥ７０２とＥＰＣ７８０との間の信号伝達を処理する制御ノードである。一般に、ＭＭＥ７６２は、ベアラおよび接続の管理を提供する。すべてのユーザＩＰパケットは、サービングゲートウェイ７６６を通って運ばれ、サービングゲートウェイ７６６自身は、ＰＤＮゲートウェイ７６８に接続されている。ＰＤＮゲートウェイ７６８は、ＵＥ  ＩＰアドレス割り当てならびに他の機能を提供する。ＰＤＮゲートウェイ７６８は、オペレータのＩＰサービス７２２に接続される。オペレータのＩＰサービス７２２は、インターネット、イントラネット、ＩＰマルチメディアサブシステム（ＩＭＳ）、およびＰＳストリーミングサービス（ＰＳＳ）を含む。
【００９２】
[0099]図８は、本開示の一態様に従って構成された例示的な基地局８１０および例示的なＵＥ８５０を概念的に示すブロック図である。例えば、図８に示されるとおりの基地局８１０およびＵＥ８５０は、それぞれ図１におけるｅＮｏｄｅＢ１４およびＵＥ１２の例であり得る。ＵＥ８５０は、モデムコンポーネント４０を含み得る。基地局８１０は、アンテナ８３４１〜ｔを備え得、ＵＥ８５０は、アンテナ８５２１〜ｒを備え得、ここにおいて、ｔおよびｒは１以上の整数である。
【００９３】
[0100]基地局８１０において、基地局送信プロセッサ８２０が、基地局データソース８１２からのデータおよび基地局コントローラ／プロセッサ８４０からの制御情報を受信し得る。制御情報は、ＰＢＣＨ、ＰＣＦＩＣＨ、ＰＨＩＣＨ、ＰＤＣＣＨ、などにて運ばれ得る。データは、ＰＤＳＣＨなどにて運ばれ得る。基地局送信プロセッサ８２０は、データおよび制御情報を処理（例えば、符号化およびシンボルマッピング）し、データシンボルおよび制御シンボルをそれぞれ取得し得る。また、基地局送信プロセッサ８２０は、例えばＰＳＳ、ＳＳＳ、およびセル固有基準信号（ＣＲＳ）のための基準シンボルを生成し得る。基地局送信（ＴＸ）多入力多出力（ＭＩＭＯ）プロセッサ８３０は、必要であれば、データシンボル、制御シンボル、および／または基準シンボルについて空間処理（例えば、プリコーディング）を実行し得、基地局変調器／復調器（ＭＯＤ／ＤＥＭＯＤ）８３２１〜ｔへと出力シンボルストリームをもたらし得る。各々の基地局変調器／復調器８３２は、出力サンプルストリームを得るように（例えば、ＯＦＤＭなどのために）それぞれの出力シンボルストリームを処理し得る。さらに、各々の基地局変調器／復調器８３２は、ダウンリンク信号を得るように出力サンプルストリームをさらに処理（例えば、アナログへの変換、増幅、フィルタ処理、およびアップコンバート）し得る。変調器／復調器８３２１〜ｔからのダウンリンク信号は、それぞれアンテナ８３４１〜ｔを介して送信され得る。
【００９４】
[0101]ＵＥ８５０において、ＵＥアンテナ８５２１〜ｒが、基地局８１０からのダウンリンク信号を受信し得、受信信号をＵＥ変調器／復調器（ＭＯＤ／ＤＥＭＯＤ）８５４１〜ｒにそれぞれもたらし得る。各々のＵＥ変調器／復調器８５４は、入力サンプルを得るようにそれぞれの受信信号を調整（例えば、フィルタ処理、増幅、ダウンコンバート、およびデジタル化）し得る。各々のＵＥ変調器／復調器８５４は、受信シンボルを得るように（例えば、ＯＦＤＭなどのために）入力サンプルをさらに処理し得る。ＵＥ  ＭＩＭＯ検出器８５６が、すべてのＵＥ変調器／復調器８５４１〜ｒから受信シンボルを取得し、必要であれば受信シンボルについてＭＩＭＯ検出を実行し、検出シンボルをもたらし得る。ＵＥ受信プロセッサ８５８が、検出シンボルを処理（例えば、復調、デインターリーブ、および復号）し、ＵＥ８５０のための復号後データをＵＥデータシンク８６０へともたらすとともに、復号された制御情報をＵＥコントローラ／プロセッサ８８０へともたらし得る。
【００９５】
[0102]アップリンクに関して、ＵＥ８５０において、ＵＥ送信プロセッサ８６４が、ＵＥデータソース８６２からの（例えば、ＰＵＳＣＨのための）データおよびＵＥコントローラ／プロセッサ８８０からの（例えば、ＰＵＣＣＨのための）制御情報を受け取り、処理し得る。また、ＵＥ送信プロセッサ８６４は、基準信号のための基準シンボルを生成し得る。ＵＥ送信プロセッサ８６４からのシンボルは、必要であればＵＥ  ＴＸ  ＭＩＭＯプロセッサ８６６によってプリコードされ、（例えば、ＳＣ−ＦＤＭなどのために）ＵＥ変調器／復調器８５４１〜ｒによってさらに処理され、基地局８１０へと送信され得る。基地局８１０において、復号後データおよびＵＥ８５０によって送信された制御情報を得るために、ＵＥ８５０からのアップリンク信号が、基地局アンテナ８３４によって受信され、基地局変調器／復調器８３２によって処理され、必要であればＭＩＭＯ検出器８３６によって検出され、基地局受信プロセッサ８３８によってさらに処理され得る。基地局受信プロセッサ８３８は、復号後データを基地局データシンク８４６へともたらすとともに、復号された制御情報を基地局コントローラ／プロセッサ８４０へともたらし得る。
【００９６】
[0103]基地局コントローラ／プロセッサ８４０およびＵＥコントローラ／プロセッサ８８０は、それぞれ基地局８１０およびＵＥ８５０における動作を指揮し得る。基地局コントローラ／プロセッサ８４０ならびに／あるいは基地局８１０における他のプロセッサおよびモジュールは、例えば本明細書に記載の技術のための種々の処理の実行を行い、あるいは指揮し得る。例えば、コントローラ／プロセッサ８８０が、モデムコンポーネント４０（図１）を実現し得る。また、ＵＥコントローラ／プロセッサ８８０ならびに／あるいはＵＥ８５０における他のプロセッサおよびモジュールは、例えば物理層プロシージャ、測定、イベント報告、ＲＬＦ検出、および／または本明細書に記載の技術のための他の処理を実行し、あるいは指揮し得る。基地局メモリ８４２およびＵＥメモリ８８２は、それぞれ基地局８１０およびＵＥ８５０のためのデータおよびプログラムコードを保存し得る。スケジューラ８４４が、ダウンリンクおよび／またはアップリンクにおけるデータの伝送についてＵＥ８５０をスケジュールし得る。
【００９７】
[0104]当業者であれば、情報および信号が、種々の異なる技術および技法の任意のいずれかを使用して表現され得ることを、理解するであろう。例えば、以上の説明の各所において言及され得るデータ、インストラクション、コマンド、情報、信号、ビット、シンボル、およびチップは、電圧、電流、電磁波、磁界または磁性粒子、光場または光粒子、あるいはこれらの任意の組み合わせによって表され得る。
【００９８】
[0105]さらに、本明細書における開示に関連して説明される種々の例示の論理ブロック、モジュール、回路、およびアルゴリズムの各段階が、電子ハードウェア、コンピュータソフトウェア、または両者の組み合わせとして実現され得ることを、当業者であれば理解するであろう。このハードウェアおよびソフトウェアの入れ替え可能性を明確に示すために、種々の例示の構成要素、ブロック、モジュール、回路、および段階は、広くそれらの機能に関して上述されている。このような機能がハードウェアとして実現されるか、あるいはソフトウェアとして実現されるかは、個々の用途およびシステム全体に課される設計上の制約事項に依存する。当業者であれば、上述の機能を各々の個別の用途について種々の方法で実現し得るが、このような実現における決定を、本開示の技術的範囲からの離脱を生じるものと解釈すべきではない。
【００９９】
[0106]本明細書における開示に関連して説明される種々の例示の論理ブロック、モジュール、および回路は、汎用のプロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルな論理素子、ディスクリートなゲートまたはトランジスタ論理回路、ディスクリートなハードウェアコンポーネント、あるいは本明細書に記載の機能を実行するように設計されたこれらの任意の組み合わせによって実施または実行され得る。汎用のプロセッサは、マイクロプロセッサであり得るが、代案においては、プロセッサは、任意の在来のプロセッサ、コントローラ、マイクロコントローラ、またはステートマシンであり得る。プロセッサは、例えばＤＳＰとマイクロプロセッサとの組み合わせ、複数のマイクロプロセッサ、ＤＳＰコアと併せた１つまたは複数のマイクロプロセッサ、または任意の他のこのような構成など、コンピュータデバイスの組み合わせとしても実現され得る。
【０１００】
[0107]本明細書における開示に関連して説明される方法またはアルゴリズムの各段階は、ハードウェア、プロセッサによって実行されるソフトウェアモジュール、または両者の組み合わせにて直接的に具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または技術的に公知の任意の他の形態の記憶媒体に存在し得る。例示的な記憶媒体は、プロセッサが記憶媒体からの情報の読み出しおよび記憶媒体への情報の書き込みを行うことができるように、プロセッサに接続さる。代案においては、記憶媒体がプロセッサに一体化され得る。プロセッサおよび記憶媒体は、ＡＳＩＣに存在し得る。ＡＳＩＣは、ユーザ端末または基地局に存在し得る。代案においては、プロセッサおよび記憶媒体が、ユーザ端末または基地局にディスクリートなコンポーネントとして存在し得る。
【０１０１】
[0108]１つ以上の例示的な設計において、説明される機能は、ハードウェア、ソフトウェア、ファームウェア、またはこれらの任意の組み合わせにて実現され得る。ソフトウェアでの実行の場合、これらの機能を、コンピュータ読取可能な媒体において、１つ以上のインストラクションまたはコードとして保存または伝送することができる。コンピュータ読み取り可能な媒体は、或る場所から別の場所へのコンピュータプログラムの転送を容易にする任意の媒体を含む、コンピュータ記憶媒体および通信媒体の両方を含む。記憶媒体は、汎用または専用のコンピュータによってアクセスすることができる任意の利用可能な媒体であり得る。例として、これらに限られるわけではないが、このようなコンピュータ読み取り可能な媒体は、ＲＡＭ、ＲＯＭ、ＥＥＰＲＯＭ、ＣＤ−ＲＯＭまたは他の光ディスク記憶デバイス、磁気ディスク記憶デバイスまたは他の磁気記憶デバイス、あるいは所望のプログラムコードをインストラクションまたはデータ構造の形態で保持または記憶するために使用することができ、汎用または専用のコンピュータ、あるいは汎用または専用のプロセッサによるアクセスが可能である任意の他の媒体を備えることができる。また、何らかの接続も、コンピュータ読取可能媒体と称することが妥当である。例えば、ソフトウェアが、ウェブサイト、サーバ、または他の離れた供給源から、同軸ケーブル、光ファイバケーブル、対より線、デジタル加入者線（ＤＳＬ）、あるいは赤外線、無線、およびマイクロ波などの無線技術を使用して伝送される場合、同軸ケーブル、光ファイバケーブル、対より線、ＤＳＬ、あるいは赤外線、無線、およびマイクロ波などの無線技術は、媒体の定義に含まれる。本明細書において使用されるとき、ディスク（ｄｉｓｋおよびｄｉｓｃ）は、コンパクトディスク（ＣＤ）、レーザーディスク（登録商標）、光ディスク、デジタル多用途ディスク（ＤＶＤ）、フロッピー（登録商標）ディスク、およびＢｌｕ−ｒａｙ（登録商標）ディスクを含み、ここでディスク（ｄｉｓｋ）が、通常はデータを磁気的に再生する一方で、ディスク（ｄｉｓｃ）は、データをレーザで光学的に再生する。上記の組み合わせもまた、コンピュータ読取可能媒体の範囲内に含まれるべきである。
【０１０２】
[0109]本開示のこれまでの説明は、本開示の製作または使用を当業者にとって可能にするために提示されている。本開示の種々の変更が、当業者にとって容易に明らかであり、本明細書に定められる全体的な原理は、本開示の技術的思想または技術的範囲から離れることなく他の変種にも適用され得る。したがって、本開示は、本明細書に記載の例および設計に限られるものではなく、本明細書に開示の原理および新規な特徴に矛盾しない最も広い範囲が与えられるべきである。
以下に、本願の出願当初の特許請求の範囲に記載された発明を付記する。
［Ｃ１］
ワイヤレスデバイスにおいて制御プレーン測定を実行するための方法であって、
マルチプルなサブフレームにまたがってアンライセンススペクトルを通じて受信された信号に対し、セルの無線リソース管理（ＲＲＭ）測定を実行することと、
オポチュニスティック送信を含む前記サブフレームの第１のサブセットに関連する前記ＲＲＭ測定の第１のサブセット、およびギャランティード送信を含む前記サブフレームの第２のサブセットに関連する前記ＲＲＭ測定の第２のサブセット、の一方または両方を識別することと、
前記ＲＲＭ測定の前記第１のサブセットおよび前記ＲＲＭ測定の前記第２のサブセットの一方または両方にもとづいて１つまたは複数のＲＲＭ測定値を決定することと、
を備える方法。
［Ｃ２］
前記ＲＲＭ測定を実行することは、前記サブフレームの前記第１のサブセットに関連する基準信号受信電力（ＲＳＲＰ）測定および前記サブフレームの前記第２のサブセットに関連するＲＳＲＰ測定を得るために、基準信号受信電力（ＲＳＲＰ）を測定することを含み、
前記１つまたは複数のＲＲＭ測定値を決定することは、前記サブフレームの前記第１のサブセットに関連する前記ＲＳＲＰ測定、および前記サブフレームの前記第２のサブセットに関連する前記ＲＳＲＰ測定を、単一のＲＳＲＰ値へと結合することを含む、Ｃ１に記載の方法。
［Ｃ３］
前記ＲＲＭ測定を実行することは、前記サブフレームの前記第１のサブセットに関連する第１の受信信号強度インジケータ（ＲＳＳＩ）および前記サブフレームの前記第２のサブセットに関連する第２のＲＳＳＩを測定することを含み、
前記１つまたは複数のＲＲＭ測定値を決定することは、前記第１のＲＳＳＩにもとづいて前記サブフレームの前記第１のサブセットについての第１の基準信号受信品質（ＲＳＲＱ）値を決定することと、前記第２のＲＳＳＩにもとづいて前記サブフレームの前記第２のサブセットについての第２のＲＳＲＱ値を決定することとを含む、Ｃ１に記載の方法。
［Ｃ４］
ＲＲＭイベントを検出するために前記第１のＲＳＲＱ値をしきい値と比較すること、をさらに備える、Ｃ３に記載の方法。
［Ｃ５］
ＲＲＭイベントを検出するために前記第２のＲＳＲＱ値を異なるセルについての基準信号の受信信号品質と比較すること、をさらに備える、Ｃ３に記載の方法。
［Ｃ６］
前記第１のＲＳＲＱ値および前記第２のＲＳＲＱ値のどちらが前記ワイヤレスデバイスによって使用されるべきかについての指示をネットワークから受信すること、をさらに備える、Ｃ３に記載の方法。
［Ｃ７］
ワイヤレスデバイスにおける制御プレーン測定のための方法であって、
アンライセンススペクトルを通じて受信されたマルチプルなサブフレームにまたがって、セル固有基準信号（ＣＲＳ）測定を得るために、セルからの受信したセル固有基準信号（ＣＲＳ）を測定することと、
オポチュニスティック送信を含む前記サブフレームの第１のサブセットに関連する前記ＣＲＳ測定の第１のサブセット、およびギャランティード送信を含む前記サブフレームの第２のサブセットに関連する前記ＣＲＳ測定の第２のサブセット、の一方または両方を識別することと、
前記ＣＲＳ測定の前記第１のサブセットについての第１の信号対干渉雑音比（ＳＩＮＲ）値、および前記ＣＲＳ測定の前記第２のサブセットについての第２のＳＩＮＲ値、の一方または両方を算出することと、
ＣＲＳ測定の前記第１のサブセットについて算出された前記第１のＳＩＮＲ値またはＣＲＳ測定の前記第２のサブセットについて算出された前記第２のＳＩＮＲ値に少なくとも部分的にもとづいて、前記ワイヤレスデバイスの無線リンク状態を監視することと、  を備える方法。
［Ｃ８］
前記ワイヤレスデバイスの前記無線リンク状態を監視することは、前記ワイヤレスデバイスが前記セルと同期しているかどうかを決定することを含む、Ｃ７に記載の方法。
［Ｃ９］
前記ワイヤレスデバイスの前記無線リンク状態を監視することは、
前記第１のＳＩＮＲ値が利用可能であると決定することと、
前記第１のＳＩＮＲ値にもとづいて前記ワイヤレスデバイスが前記セルと同期しているかどうかを決定することと、
を含む、Ｃ７に記載の方法。
［Ｃ１０］
前記セルによってブロードキャストされた複数のシステム情報ブロック（ＳＩＢ）を復号することと、
前記ＳＩＢの各々について、それぞれのＳＩＢの前記復号が成功したかどうかを示す復号状態を決定することと、
復号不成功の状態を有する前記ＳＩＢの復号の第１のカウンタ、および復号成功の状態を有する前記ＳＩＢの復号の第２のカウンタを維持することと、
をさらに備える、Ｃ７に記載の方法。
［Ｃ１１］
前記ワイヤレスデバイスの前記無線リンク状態を監視することは、
前記第１のＳＩＮＲ値が現時点において利用可能でない、または信頼できないと決定することと、
前記第１のＳＩＮＲ値が現時点において利用可能でない、または信頼できないこと、前記ワイヤレスデバイスが前記セルと同期していない旨を前記第２のＳＩＮＲ値が示していること、および前記第１のカウンタが不成功の復号のしきい値数を超えることに応答して、前記ワイヤレスデバイスが前記セルと同期していないと決定することと、
を含む、Ｃ１０に記載の方法。
［Ｃ１２］
前記ワイヤレスデバイスの前記無線リンク状態を監視することは、
前記第１のＳＩＮＲ値が現時点において利用可能でない、または信頼できないと決定することと、
前記第１のＳＩＮＲ値が現時点において利用可能でない、または信頼できないこと、ならびに、前記ワイヤレスデバイスが前記セルと同期している旨を前記第２のＳＩＮＲ値が示していること、または前記第２のカウンタが成功した復号のしきい値数を超えていることに応答して、前記ワイヤレスデバイスが前記セルと同期していると決定することと、  を備える、Ｃ１０に記載の方法。
［Ｃ１３］
前記ワイヤレスデバイスが前記セルと同期していない旨を、前記ワイヤレスデバイスの前記無線リンク状態を監視することが示すときに、無線リンク不具合を宣言すること、をさらに備える、Ｃ７に記載の方法。
［Ｃ１４］
ワイヤレスデバイスにおいて制御プレーン測定を実行するための装置であって、
マルチプルなサブフレームにまたがってアンライセンススペクトルを通じて信号を受信するように構成されたトランシーバと、
メモリと、
前記トランシーバおよび前記メモリに通信可能に結合されたプロセッサと、
を備えており、
前記プロセッサおよび前記メモリは、
前記マルチプルなサブフレームにまたがって前記アンライセンススペクトルを通じて受信された信号に対し、セルの無線リソース管理（ＲＲＭ）測定を実行することと、      オポチュニスティック送信を含む前記サブフレームの第１のサブセットに関連する前記ＲＲＭ測定の第１のサブセット、およびギャランティード送信を含む前記サブフレームの第２のサブセットに関連する前記ＲＲＭ測定の第２のサブセット、の一方または両方を識別することと、
前記ＲＲＭ測定の前記第１のサブセットおよび前記ＲＲＭ測定の前記第２のサブセットの一方または両方にもとづいて１つまたは複数のＲＲＭ測定値を決定することと、  を行うように構成されている、装置。
［Ｃ１５］
前記プロセッサおよび前記メモリは、
前記サブフレームの前記第１のサブセットに関連する基準信号受信電力（ＲＳＲＰ）測定および前記サブフレームの前記第２のサブセットに関連するＲＳＲＰ測定を得るために、基準信号受信電力（ＲＳＲＰ）を測定することと、
前記サブフレームの前記第１のサブセットに関連する前記ＲＳＲＰ測定、および前記サブフレームの前記第２のサブセットに関連する前記ＲＳＲＰ測定を、単一のＲＳＲＰ値へと結合することによって、前記１つまたは複数の測定値を決定することと、
を行うように構成されている、Ｃ１４に記載の装置。
［Ｃ１６］
前記プロセッサおよび前記メモリは、
前記サブフレームの前記第１のサブセットに関連する第１の受信信号強度インジケータ（ＲＳＳＩ）および前記サブフレームの前記第２のサブセットに関連する第２のＲＳＳＩを測定することと、
前記第１のＲＳＳＩにもとづいて前記サブフレームの前記第１のサブセットについての第１の基準信号受信品質（ＲＳＲＱ）値、および前記第２のＲＳＳＩにもとづいて前記サブフレームの前記第２のサブセットについての第２のＲＳＲＱ値を決定することと、  を行うように構成されている、Ｃ１４に記載の装置。
［Ｃ１７］
前記プロセッサおよび前記メモリは、ＲＲＭイベントを検出するために前記第１のＲＳＲＱ値をＲＲＭイベントを検出するためのしきい値と比較するように構成されている、Ｃ１６に記載の装置。
［Ｃ１８］
前記プロセッサおよび前記メモリは、ＲＲＭイベントを検出するために前記第２のＲＳＲＱ値をＲＲＭイベントを検出するための異なるセルについての基準信号の受信信号品質と比較するように構成されている、Ｃ１６に記載の装置。
［Ｃ１９］
前記プロセッサおよび前記メモリは、前記第１のＲＳＲＱ値および前記第２のＲＳＲＱ値のどちらが前記ワイヤレスデバイスによって使用されるべきかについての指示を、前記トランシーバを介してネットワークから受信するように構成されている、Ｃ１６に記載の装置。
［Ｃ２０］
ワイヤレスデバイスにおける制御プレーン測定のための装置であって、
セルからマルチプルなサブフレームにまたがってアンライセンススペクトルを通じて信号を受信するように構成されたトランシーバと、
メモリと、
前記トランシーバおよび前記メモリに通信可能に結合されたプロセッサと、
を備えており、
前記プロセッサおよび前記メモリは、
前記アンライセンススペクトルを通じて受信された前記マルチプルなサブフレームにまたがって、セル固有基準信号（ＣＲＳ）測定を得るために、前記セルからの受信したセル固有基準信号（ＣＲＳ）を測定することと、
オポチュニスティック送信を含む前記サブフレームの第１のサブセットに関連する前記ＣＲＳ測定の第１のサブセット、およびギャランティード送信を含む前記サブフレームの第２のサブセットに関連する前記ＣＲＳ測定の第２のサブセット、の一方または両方を識別することと、
前記ＣＲＳ測定の前記第１のサブセットについての第１の信号対干渉雑音比（ＳＩＮＲ）値、および前記ＣＲＳ測定の前記第２のサブセットについての第２のＳＩＮＲ値、の一方または両方を算出することと、
ＣＲＳ測定の前記第１のサブセットについて算出された前記第１のＳＩＮＲ値またはＣＲＳ測定の前記第２のサブセットについて算出された前記第２のＳＩＮＲ値に少なくとも部分的にもとづいて、前記ワイヤレスデバイスの無線リンク状態を監視することと、  を行うように構成されている、装置。
［Ｃ２１］
前記プロセッサおよび前記メモリは、前記ワイヤレスデバイスが前記セルと同期しているかどうかを決定することによって前記ワイヤレスデバイスの前記無線リンク状態を監視するように構成されている、Ｃ２０に記載の装置。
［Ｃ２２］
前記プロセッサおよび前記メモリは、前記第１のＳＩＮＲ値が利用可能であると決定し、前記第１のＳＩＮＲ値にもとづいて前記ワイヤレスデバイスが前記セルと同期しているかどうかを決定することによって、前記ワイヤレスデバイスの前記無線リンク状態を監視するように構成されている、Ｃ２０に記載の装置。
［Ｃ２３］
前記プロセッサおよび前記メモリは、
前記セルによってブロードキャストされた複数のシステム情報ブロック（ＳＩＢ）を復号することと、
前記ＳＩＢの各々について、それぞれのＳＩＢの前記復号が成功したかどうかを示す復号状態を決定することと、
復号不成功の状態を有する前記ＳＩＢの復号の第１のカウンタ、および復号成功の状態を有する前記ＳＩＢの復号の第２のカウンタを、前記メモリ内で、維持することと、  を行うように構成されている、Ｃ２０に記載の装置。
［Ｃ２４］
前記プロセッサおよび前記メモリは、
前記第１のＳＩＮＲ値が現時点において利用可能でない、または信頼できないと決定することと、
前記ワイヤレスデバイスが前記セルと同期していない旨を前記第２のＳＩＮＲ値が示しており、かつ前記第１のカウンタが不成功の復号のしきい値数を超えるときに、前記ワイヤレスデバイスが前記セルと同期していないと決定することと、
によって前記ワイヤレスデバイスの前記無線リンク状態を監視するように構成されている、Ｃ２３に記載の装置。
［Ｃ２５］
前記プロセッサおよび前記メモリは、
前記第１のＳＩＮＲ値が現時点において利用可能でない、または信頼できないと決定することと、
前記ワイヤレスデバイスが前記セルと同期している旨を前記第２のＳＩＮＲ値が示しており、あるいは前記第２のカウンタが成功した復号のしきい値数を超えているときに、前記ワイヤレスデバイスが前記セルと同期していると決定することと、
によって前記ワイヤレスデバイスの前記無線リンク状態を監視するように構成されている、Ｃ２３に記載の装置。
［Ｃ２６］
前記プロセッサおよび前記メモリは、前記ワイヤレスデバイスが前記セルと同期していない旨を、前記ワイヤレスデバイスの前記無線リンク状態を監視することが示すときに、無線リンク不具合を宣言するように構成されている、Ｃ２０に記載の装置。
［Ｃ２７］
ワイヤレスデバイスにおいて制御プレーン測定を実行するための装置であって、
マルチプルなサブフレームにまたがってアンライセンススペクトルを通じて受信された信号に対し、セルの無線リソース管理（ＲＲＭ）測定を実行するための手段と、
オポチュニスティック送信を含む前記サブフレームの第１のサブセットに関連する前記ＲＲＭ測定の第１のサブセット、およびギャランティード送信を含む前記サブフレームの第２のサブセットに関連する前記ＲＲＭ測定の第２のサブセット、の一方または両方を識別するための手段と、
前記ＲＲＭ測定の前記第１のサブセットおよび前記ＲＲＭ測定の前記第２のサブセットの一方または両方にもとづいて１つまたは複数のＲＲＭ測定値を決定するための手段と、
を備える装置。
［Ｃ２８］
ＲＲＭ測定を実行するための前記手段は、さらには、前記サブフレームの前記第１のサブセットに関連する基準信号受信電力（ＲＳＲＰ）測定および前記サブフレームの前記第２のサブセットに関連するＲＳＲＰ測定を得るために、基準信号受信電力（ＲＳＲＰ）を測定するためのものであり、
前記１つまたは複数の測定値を決定するための前記手段は、さらには、前記サブフレームの前記第１のサブセットに関連する前記ＲＳＲＰ測定、および前記サブフレームの前記第２のサブセットに関連する前記ＲＳＲＰ測定を、単一のＲＳＲＰ値へと結合するためのものである、Ｃ２７に記載の装置。
［Ｃ２９］
ＲＲＭ測定を実行するための前記手段は、さらには、前記サブフレームの前記第１のサブセットに関連する第１の受信信号強度インジケータ（ＲＳＳＩ）および前記サブフレームの前記第２のサブセットに関連する第２のＲＳＳＩを測定するためのものであり、
決定するための前記手段は、さらには、前記第１のＲＳＳＩにもとづいて前記サブフレームの前記第１のサブセットについての第１の基準信号受信品質（ＲＳＲＱ）値、および前記第２のＲＳＳＩにもとづいて前記サブフレームの前記第２のサブセットについての第２のＲＳＲＱ値を決定するためのものである、Ｃ２８に記載の装置。
［Ｃ３０］
ＲＲＭイベントを検出するために前記第１のＲＳＲＱ値をしきい値と比較するための手段をさらに備える、Ｃ２９に記載の装置。
［Ｃ３１］
ＲＲＭイベントを検出するために前記第２のＲＳＲＱ値を異なるセルについての基準信号の受信信号品質と比較するための手段をさらに備える、Ｃ２９に記載の装置。
［Ｃ３２］
前記第１のＲＳＲＱ値および前記第２のＲＳＲＱ値のどちらが前記ワイヤレスデバイスによって使用されるべきかについての指示をネットワークから受信するための手段をさらに備える、Ｃ２９に記載の装置。
［Ｃ３３］
ワイヤレスデバイスにおける制御プレーン測定のための装置であって、
アンライセンススペクトルを通じて受信されたマルチプルなサブフレームにまたがって、セル固有基準信号（ＣＲＳ）測定を得るために、セルからの受信したセル固有基準信号（ＣＲＳ）を測定するための手段と、
オポチュニスティック送信を含む前記サブフレームの第１のサブセットに関連する前記ＣＲＳ測定の第１のサブセット、およびギャランティード送信を含む前記サブフレームの第２のサブセットに関連する前記ＣＲＳ測定の第２のサブセット、の一方または両方を識別するための手段と、
前記ＣＲＳ測定の前記第１のサブセットについての第１の信号対干渉雑音比（ＳＩＮＲ）値および前記ＣＲＳ測定の前記第２のサブセットについての第２のＳＩＮＲ値の一方または両方を算出するための手段と、
前記ＣＲＳ測定の前記第１のサブセットについて算出された前記第１のＳＩＮＲ値または前記ＣＲＳ測定の前記第２のサブセットについて算出された前記第２のＳＩＮＲ値に少なくとも部分的にもとづいて、前記ワイヤレスデバイスの無線リンク状態を監視するための手段と、
を備える装置。
［Ｃ３４］
前記ワイヤレスデバイスの前記無線リンク状態を監視するための前記手段は、さらには、前記ワイヤレスデバイスが前記セルと同期しているかどうかを決定するためのものである、Ｃ３３に記載の装置。
［Ｃ３５］
前記ワイヤレスデバイスの前記無線リンク状態を監視するための前記手段は、
前記第１のＳＩＮＲ値が利用可能であると決定するための手段と、
前記第１のＳＩＮＲ値にもとづいて前記ワイヤレスデバイスが前記セルと同期しているかどうかを決定するための手段と、
を含む、Ｃ３３に記載の装置。
［Ｃ３６］
前記セルによってブロードキャストされた複数のシステム情報ブロック（ＳＩＢ）を復号するための手段と、
前記ＳＩＢの各々について、それぞれのＳＩＢの前記復号が成功したかどうかを示す復号状態を決定するための手段と、
復号不成功の状態を有する前記ＳＩＢの復号の第１のカウンタ、および復号成功の状態を有する前記ＳＩＢの復号の第２のカウンタを維持するための手段と、
をさらに備える、Ｃ３５に記載の装置。
［Ｃ３７］
前記ワイヤレスデバイスの前記無線リンク状態を監視するための前記手段は、
前記第１のＳＩＮＲ値が現時点において利用可能でない、または信頼できないと決定するための手段と、
前記ワイヤレスデバイスが前記セルと同期していない旨を前記第２のＳＩＮＲ値が示しており、かつ前記第１のカウンタが不成功の復号のしきい値数を超えるときに、前記ワイヤレスデバイスが前記セルと同期していないと決定するための手段と、
を含む、Ｃ３６に記載の装置。
［Ｃ３８］
前記ワイヤレスデバイスの前記無線リンク状態を監視するための前記手段は、
前記第１のＳＩＮＲ値が現時点において利用可能でない、または信頼できないと決定するための手段と、
前記ワイヤレスデバイスが前記セルと同期している旨を前記第２のＳＩＮＲ値が示しており、あるいは前記第２のカウンタが成功した復号のしきい値数を超えているときに、前記ワイヤレスデバイスが前記セルと同期していると決定するための手段と、
を備える、Ｃ３６に記載の装置。
［Ｃ３９］
監視するための前記手段は、さらには、前記ワイヤレスデバイスが前記セルと同期していない旨を、前記ワイヤレスデバイスの前記無線リンク状態を監視することが示すときに、無線リンク不具合を宣言するためのものである、Ｃ３３に記載の装置。
［Ｃ４０］
ワイヤレスデバイスにおいて制御プレーン測定を実行するためのコンピュータ実行可能なコードを格納しているコンピュータ読み取り可能な媒体であって、
マルチプルなサブフレームにまたがってアンライセンススペクトルを通じて受信された信号に対し、セルの無線リソース管理（ＲＲＭ）測定を実行するためのコードと、
オポチュニスティック送信を含む前記サブフレームの第１のサブセットに関連する前記ＲＲＭ測定の第１のサブセット、およびギャランティード送信を含む前記サブフレームの第２のサブセットに関連する前記ＲＲＭ測定の第２のサブセット、の一方または両方を識別するためのコードと、
前記ＲＲＭ測定の前記第１のサブセットおよび前記ＲＲＭ測定の前記第２のサブセットの一方または両方にもとづいて１つまたは複数のＲＲＭ測定値を決定するためのコードと、
を備える、コンピュータ読み取り可能な媒体。
［Ｃ４１］
ワイヤレスデバイスにおける制御プレーン測定のためのコンピュータ実行可能なコードを格納しているコンピュータ読み取り可能な媒体であって、
アンライセンススペクトルを通じて受信されたマルチプルなサブフレームにまたがって、セル固有基準信号（ＣＲＳ）測定を得るために、セルからの受信したセル固有基準信号（ＣＲＳ）を測定するためのコードと、
オポチュニスティック送信を含む前記サブフレームの第１のサブセットに関連する前記ＣＲＳ測定の第１のサブセット、およびギャランティード送信を含む前記サブフレームの第２のサブセットに関連する前記ＣＲＳ測定の第２のサブセット、の一方または両方を識別するためのコードと、
ＣＲＳ測定の前記第１のサブセットの一方または両方についての第１の信号対干渉雑音比（ＳＩＮＲ）値、および前記ＣＲＳ測定の前記第２のサブセットについての第２のＳＩＮＲ値、の一方または両方を算出するためのコードと、
ＣＲＳ測定の前記第１のサブセットについて算出された第１のＳＩＮＲ値またはＣＲＳ測定の前記第２のサブセットについて算出された第２のＳＩＮＲ値に少なくとも部分的にもとづいて、前記ワイヤレスデバイスの無線リンク状態を監視するためのコードと、  を備えるコンピュータ読み取り可能な媒体。
［Ｃ４２］
ワイヤレスデバイスにおける無線リンク不具合（ＲＬＦ）を検出するための方法であって、
或る送信時間においてアップリンク送信プロシージャをトリガすることと、
前記送信時間においてタイマを開始させることと、
前記アップリンク送信を開始する前に、前記アップリンク送信のためにアンライセンススペクトルを通じて伝送媒体にアクセスするために、１つまたは複数のクリアチャネルアセスメントを実行することと、
前記アップリンク送信を完了する前に前記タイマが満了するときに、前記ワイヤレスデバイスに関するＲＬＦを識別することと、
を備える方法。
［Ｃ４３］
前記トリガされたアップリンク送信プロシージャは、スケジューリング要求プロシージャ、ランダム・アクセス・プロシージャ、またはアップリンクデータ送信プロシージャを備える、Ｃ４２に記載の方法。
［Ｃ４４］
ワイヤレスデバイスにおける無線リンク不具合（ＲＬＦ）を検出するための装置であって、
アンライセンススペクトルを通じて信号を受信および送信するように構成されたトランシーバと、
メモリと、
前記トランシーバおよび前記メモリに通信可能に結合されたプロセッサと、
を備えており、
前記プロセッサおよび前記メモリは、
或る送信時間において前記トランシーバを介してアップリンク送信プロシージャをトリガすることと、
前記送信時間においてタイマを開始させることと、
前記トランシーバを介して、前記アップリンク送信を開始する前に、前記アップリンク送信のために前記アンライセンススペクトルを通じて伝送媒体にアクセスするために、１つまたは複数のクリアチャネルアセスメントを実行することと、
前記アップリンク送信を送信する前に前記タイマが満了するときに、前記ワイヤレスデバイスに関するＲＬＦを識別することと、
を行うように構成されている、装置。
［Ｃ４５］
ワイヤレスデバイスにおける無線リンク不具合（ＲＬＦ）を検出するための装置であって、
或る送信時間においてアップリンク送信プロシージャをトリガするための手段と、    前記送信時間においてタイマを開始させるための手段と、
前記アップリンク送信を開始する前に、前記アップリンク送信のためにアンライセンススペクトルを通じて伝送媒体にアクセスするために、１つまたは複数のクリアチャネルアセスメントを実行するための手段と、
アップリンク送信を送信する前に前記タイマが満了するときに、ワイヤレスデバイスに関するＲＬＦを識別するための手段と、
を備える装置。
［Ｃ４６］
ワイヤレスデバイスにおける無線リンク不具合（ＲＬＦ）を検出するためのコンピュータ実行可能なコードを格納しているコンピュータ読み取り可能な媒体であって、
或る送信時間においてアップリンク送信プロシージャをトリガするためのコードと、    前記送信時間においてタイマを開始させるためのコードと、
前記アップリンク送信を開始する前に、前記アップリンク送信のためにアンライセンススペクトルを通じて伝送媒体にアクセスするために、１つまたは複数のクリアチャネルアセスメントを実行するためのコードと、
前記アップリンク送信を送信する前に前記タイマが満了するときに、前記ワイヤレスデバイスに関するＲＬＦを識別するためのコードと、
を備える、コンピュータ読み取り可能な媒体。
［Ｃ４７］
ワイヤレスデバイスにおける無線リンク不具合（ＲＬＦ）を検出するための方法であって、
無線リンク制御（ＲＬＣ）プロトコル・データ・ユニット（ＰＤＵ）を生成することと、
アンライセンススペクトルを通じて前記ＲＬＣ  ＰＤＵを最初に送信するときにタイマを開始させることと、
前記ＲＬＣ  ＰＤＵについての確認応答を受信する前に前記タイマが満了するとき、または前記ＲＬＣ  ＰＤＵについて最大数のＲＬＣ再送信が生じるときに、ＲＬＦを識別することと、
を備える方法。
［Ｃ４８］
前記タイマの持続時間は、前記ＲＬＣ  ＰＤＵに関する無線ベアラにもとづいて設定される、Ｃ４７に記載の方法。
［Ｃ４９］
ワイヤレスデバイスにおける無線リンク不具合（ＲＬＦ）を検出するための装置であって、
アンライセンススペクトルを通じて信号を送信および受信するように構成されたトランシーバと、
メモリと、
前記トランシーバおよび前記メモリに通信可能に結合されたプロセッサと、
を備えており、
前記プロセッサおよび前記メモリは、
無線リンク制御（ＲＬＣ）プロトコル・データ・ユニット（ＰＤＵ）を生成することと、
前記アンライセンススペクトルを通じて前記ＲＬＣ  ＰＤＵを最初に送信するときにタイマを開始させることと、
前記ＲＬＣ  ＰＤＵについての確認応答を受信する前に前記タイマが満了するとき、または前記ＲＬＣ  ＰＤＵについて最大数のＲＬＣ再送信が生じるときに、ＲＬＦを識別することと、
を行うように構成されている、装置。
［Ｃ５０］
ワイヤレスデバイスにおける無線リンク不具合（ＲＬＦ）を検出するための装置であって、
無線リンク制御（ＲＬＣ）プロトコル・データ・ユニット（ＰＤＵ）を生成するための手段と、
アンライセンススペクトルを通じて前記ＲＬＣ  ＰＤＵを最初に送信するときにタイマを開始させるための手段と、
前記ＲＬＣ  ＰＤＵについての確認応答を受信する前に前記タイマが満了するとき、または前記ＲＬＣ  ＰＤＵについて最大数のＲＬＣ再送信が生じるときに、ＲＬＦを識別するための手段と、
を備える装置。
［Ｃ５１］
ワイヤレスデバイスにおける無線リンク不具合（ＲＬＦ）を検出するためのコンピュータ実行可能なコードを格納しているコンピュータ読み取り可能な媒体であって、
無線リンク制御（ＲＬＣ）プロトコル・データ・ユニット（ＰＤＵ）を生成するためのコードと、
アンライセンススペクトルを通じて前記ＲＬＣ  ＰＤＵを最初に送信するときにタイマを開始させるためのコードと、
前記ＲＬＣ  ＰＤＵについての確認応答を受信する前に前記タイマが満了するとき、または前記ＲＬＣ  ＰＤＵについて最大数のＲＬＣ再送信が生じるときに、ＲＬＦを識別するためのコードと、
を備える、コンピュータ読み取り可能な媒体。
【図１】
0006549222.tif 000002
【図２】
0006549222.tif 000003
【図３】
0006549222.tif 000004
【図４】
0006549222.tif 000005
【図５】
0006549222.tif 000006
【図６】
0006549222.tif 000007
【図７】
0006549222.tif 000008
【図８】
0006549222.tif 000009